(57)【要約】【課題】片手操作で泡を手などの被吐出体上に受け取ることが可能な泡吐出容器を提供する。【解決手段】泡吐出容器１００は、押圧操作に応じて泡を吐出する泡吐出容器１００であって、押圧操作の押圧方向に対する反対方向に開口していて泡を吐出する吐出口と、泡を受け取る被吐出体４０と吐出口との距離を一定に維持する押圧部８５と、を備えている。【選択図】図１
2018193128.tif 000002
【特許請求の範囲】
【請求項１】
押圧操作に応じて泡を吐出する泡吐出容器であって、
前記押圧操作による押圧方向に対する反対方向に開口していて、前記泡を吐出する吐出口と、
前記泡を受け取る被吐出体と前記吐出口との距離を一定に維持する押圧部と、
を備える泡吐出容器。
【請求項２】
前記吐出口は、前記反対方向に向けて起立するノズル形成壁の先端に形成され、
前記押圧部は、前記反対方向に向けて前記吐出口よりも延出している請求項１に記載の泡吐出容器。
【請求項３】
前記押圧部は、前記吐出口から外方向に離間した位置において起立している起立部を有しており、
前記押圧部は、前記起立部と、当該押圧部の内側の領域と外側の領域とを相互に連通させる連通部と、を有する請求項１又は２に記載の泡吐出容器。
【請求項４】
前記泡を吐出する一次吐出口と、
前記一次吐出口から吐出された前記泡が内部空間に広がる前室と、
前記前室を間に挟んで前記一次吐出口と対向して配置されており、前記吐出口が形成されている対向部と、
を備える請求項１から３のいずれか一項に記載の泡吐出容器。
【請求項５】
前記泡を吐出する一次吐出口を有する一次板状部と、
前記一次吐出口から吐出された前記泡が内部空間に広がる前室と、
前記前室を間に挟んで前記一次吐出口と対向して配置されており、前記吐出口が形成されている対向部と、
を備え、
前記対向部は、前記前室を間に挟んで前記一次板状部と対向して配置されているとともに前記吐出口が形成された板状部を含んで構成され、
前記前室は、前記一次板状部と前記板状部との間において起立している包囲壁によって囲まれた領域であり、
当該泡吐出容器を前記押圧方向に視たときに、前記押圧部の内側に前記包囲壁が収まっており、且つ、前記包囲壁の内側に前記吐出口及び前記一次吐出口が収まっている請求項３に記載の泡吐出容器。
【請求項６】
当該泡吐出容器を前記押圧方向に視たときに、前記対向部が前記一次吐出口の少なくとも一部分を覆っている請求項４又は５に記載の泡吐出容器。
【請求項７】
前記対向部は、前記一次吐出口側に向けて突出している突起部を含んで構成され、
当該泡吐出容器を前記押圧方向に視たときに、前記突起部が前記一次吐出口の少なくとも一部分と重なっている請求項６に記載の泡吐出容器。
【請求項８】
前記吐出口は、第１吐出領域と第２吐出領域とを含んで構成され、
当該泡吐出容器は、前記一次吐出口から前記前室に吐出される前記泡が前記第１吐出領域へ流動することを阻害する阻害部と、前記一次吐出口から前記前室に吐出される前記泡を前記第２吐出領域へ誘導する誘導部と、の一方又は両方を備えている請求項４から７のいずれか一項に記載の泡吐出容器。
【請求項９】
前記吐出口より吐出された前記泡は、所定の目的形状に形成されている請求項１から８のいずれか一項に記載の泡吐出容器。
【請求項１０】
前記吐出口は、非円形形状であるか、又は、複数の開口を含んで構成されている請求項１から９のいずれか一項に記載の泡吐出容器。
【請求項１１】
液剤を貯留する容器本体に装着して用いられ、押圧操作に応じて泡を吐出する泡吐出キャップであって、
前記押圧操作の押圧方向に対する反対方向に開口していて、前記泡を吐出する吐出口と、
前記泡を受け取る被吐出体と前記吐出口との距離を一定に維持する押圧部と、
を備える泡吐出キャップ。
【請求項１２】
液剤を貯留する容器本体に装着されるキャップに装着して用いられ、押圧操作に応じて泡を吐出する泡吐出ヘッドであって、
前記押圧操作の押圧方向に対する反対方向に開口していて、前記泡を吐出する吐出口と、
前記泡を受け取る被吐出体と前記吐出口との距離を一定に維持する押圧部と、
を備える泡吐出ヘッド。
【請求項１３】
液剤を貯留する容器本体と、
前記容器本体に装着され、前記押圧操作に応じて前記泡を吐出する泡吐出キャップと、
を備え、
前記泡吐出キャップは、前記吐出口と前記押圧部とを備えているとともに、前記容器本体が前記押圧部に対して相対的に前記押圧方向に移動することにより前記液剤から前記泡を生成して前記吐出口から前記泡を吐出させるポンプ部を備えており、
前記容器本体は、前記押圧操作の際に使用者に把持及び押圧される操作部である請求項１から１０のいずれか一項に記載の泡吐出容器。
【請求項１４】
当該泡吐出容器は、前記吐出口を下向きにして前記押圧部が載置面に接触する状態で自立可能である請求項１３に記載の泡吐出容器。
【請求項１５】
前記泡吐出キャップは、前記容器本体内の前記液剤を前記ポンプ部に供給するディップチューブを備え、
前記吐出口が下向きの状態で前記ディップチューブの先端の吸入口が前記容器本体内の前記液剤の液面よりも下に位置する請求項１３又は１４に記載の泡吐出容器。
【請求項１６】
前記容器本体は、口頸部を有し、
前記泡吐出キャップは、前記口頸部を囲む状態で当該口頸部に装着されている筒状の装着部と、前記押圧部から前記容器本体側に向けて延びていて前記装着部又は前記容器本体の周囲を覆っている筒状部と、を有し、
前記押圧部は、前記吐出口の周囲を包囲しているとともに前記吐出口よりも前記反対方向に向けて起立している環状の起立壁であり、
前記押圧部の内部空間が、前記筒状部の内部空間と、前記筒状部の内周面と前記装着部又は前記容器本体の外周面との間隙と、を介して、当該泡吐出容器の外部空間と連通している請求項１３から１５のいずれか一項に記載の泡吐出容器。
【請求項１７】
当該泡吐出容器は、液剤を貯留する容器本体を備え、前記吐出口が上向きの正立状態及び前記吐出口が下向きの倒立状態の双方において使用可能な正倒立泡吐出容器である、請求項１から１０のいずれか一項、又は、請求項１３から１６のいずれか一項に記載の泡吐出容器。
【請求項１８】
請求項１７に記載の泡吐出容器を用いて泡を被吐出体に付着させる方法であって、
前記押圧部を前記被吐出体に当てた状態で、前記押圧部又は前記容器本体を押圧操作して、前記押圧部と前記容器本体との相対的距離を近付けることで、前記吐出口から吐出した泡を被吐出体に付着させる、泡吐出方法。
【請求項１９】
押圧操作に応じて液剤を吐出する液剤吐出容器であって、
液剤を貯留する容器本体と、
前記容器本体に装着され、前記押圧操作に応じて前記液剤を吐出する液剤吐出キャップと、
を備え、
前記液剤吐出キャップは、
前記押圧操作による押圧方向に対する反対方向に開口していて、前記液剤を吐出する吐出口と、
前記液剤を受け取る被吐出体と前記吐出口との距離を一定に維持する押圧部と、
前記容器本体が前記押圧部に対して相対的に前記押圧方向に移動することにより前記吐出口から前記液剤を吐出させるポンプ部と、
を備え、
前記容器本体は、前記押圧操作の際に使用者に把持及び押圧される操作部である液剤吐出容器。
【請求項２０】
当該液剤吐出容器は、前記吐出口を下向きにして前記押圧部が載置面に接触する状態で自立可能である請求項１９に記載の液剤吐出容器。
【請求項２１】
前記容器本体内の前記液剤の粘度が、２０℃において１０００ｍＰａ・ｓ以上１０００００ｍＰａ・ｓ以下である請求項１９又は２０に記載の液剤吐出容器。
【請求項２２】
前記吐出口より吐出された前記液剤は、所定の目的形状に形成されている請求項１９から２１のいずれか一項に記載の液剤吐出容器。
【発明の詳細な説明】
【技術分野】
【０００１】
本発明は、泡吐出容器、泡吐出キャップ、泡吐出ヘッド、泡吐出方法及び液剤吐出容器に関する。
【背景技術】
【０００２】
ハンドソープ、洗顔料、食器用洗剤、整髪料などの各種の液状の材料（液剤）を空気と混合して泡にして吐出する容器（泡吐出容器）が提案されている。たとえば特許文献１には、ヘッド部が押下操作されることにより容器本体に収容された液剤を泡として吐出する泡吐出容器が記載されている。この泡吐出容器においては、三角形や五角形の頂点や中心に対応する位置に複数の円形の吐出口が離散して配置されている。この泡吐出容器は、複数の吐出口から吐出された泡が互いにくっつき合うことにより、キャラクタを模した泡造形物が形成されるように、吐出口の位置と径とが設定されている。
【先行技術文献】
【特許文献】
【０００３】
【特許文献１】特開２０１０−１４９０６０号公報
【発明の概要】
【発明が解決しようとする課題】
【０００４】
しかしながら、上述したような泡吐出容器の場合、泡を手に取るためには、片手を吐出口の下に配置した状態で、もう一方の手でヘッド部を押下する必要がある。すなわち、両手を使う必要がある。
【０００５】
また、液剤を泡ではなく液剤のまま吐出する液剤吐出容器についても、同様の課題がある。
【０００６】
本発明は、片手操作で泡を手などの被吐出体上に受け取ることが可能な泡吐出容器、泡吐出キャップ及び泡吐出ヘッドに関する。
また、本発明は、片手操作で液剤を手などの被吐出体上に受け取ることが可能な液剤吐出容器に関する。
【課題を解決するための手段】
【０００７】
本発明は、押圧操作に応じて泡を吐出する泡吐出容器であって、
前記押圧操作による押圧方向に対する反対方向に開口していて、前記泡を吐出する吐出口と、
前記泡を受け取る被吐出体と前記吐出口との距離を一定に維持する押圧部と、
を備える泡吐出容器に関する。
【０００８】
また、本発明は、押圧操作に応じて液剤を吐出する液剤吐出容器であって、
液剤を貯留する容器本体と、
前記容器本体に装着され、前記押圧操作に応じて前記液剤を吐出する液剤吐出キャップと、
を備え、
前記液剤吐出キャップは、
前記押圧操作による押圧方向に対する反対方向に開口していて、前記液剤を吐出する吐出口と、
前記液剤を受け取る被吐出体と前記吐出口との距離を一定に維持する押圧部と、
前記容器本体が前記押圧部に対して相対的に前記押圧方向に移動することにより前記吐出口から前記液剤を吐出させるポンプ部と、
を備え、
前記容器本体は、前記押圧操作の際に使用者に把持及び押圧される操作部である液剤吐出容器に関する。
【発明の効果】
【０００９】
本発明によれば、片手操作で泡を手などの被吐出体上に受け取ることが可能である。
また、本発明によれば、片手操作で液剤を手などの被吐出体上に受け取ることが可能である。
【図面の簡単な説明】
【００１０】
【図１】第１の実施形態に係る泡吐出容器の正面図である。
【図２】第１の実施形態に係る泡吐出容器の斜視図である。
【図３】第１の実施形態に係る泡吐出容器の正面断面図である。
【図４】第１の実施形態に係る泡吐出容器の斜視断面図である。
【図５】図５（ａ）、図５（ｂ）、図５（ｃ）及び図５（ｄ）は第１の実施形態に係る泡吐出容器の第１ヘッド部材を示す図である。
【図６】図６（ａ）、図６（ｂ）、図６（ｃ）及び図６（ｄ）は第１の実施形態に係る泡吐出容器の第２ヘッド部材を示す図である。
【図７】第１の実施形態に係る泡吐出容器の泡吐出ヘッドを示す平面図である。
【図８】第１の実施形態において被吐出体（手）に泡造形物が受け取られた状態を示す平面図である。
【図９】第２の実施形態に係る泡吐出容器の斜視図である。
【図１０】第２の実施形態に係る泡吐出容器の使用時の状態を示す正面図である。
【図１１】第３の実施形態に係る泡吐出容器の斜視図である。
【図１２】第３の実施形態に係る泡吐出容器の泡吐出ヘッドを示す平面図である。
【図１３】第３の実施形態において被吐出体（手）に泡造形物が受け取られた状態を示す平面図である。
【図１４】第４の実施形態に係る泡吐出容器の泡吐出ヘッドを示す平面図である。
【図１５】図１４のＡ−Ａ線に沿った断面図である。
【図１６】第４の実施形態において被吐出体（手）に泡造形物が受け取られた状態を示す平面図である。
【図１７】図１７（ａ）及び図１７（ｂ）は第５の実施形態に係る泡吐出容器のヘッド部材を示す図である。
【図１８】第６の実施形態に係る泡吐出容器のヘッド部材を示す図である。
【図１９】第７の実施形態に係る泡吐出容器の上部を示す正面断面図である。
【図２０】図２０（ａ）、図２０（ｂ）、図２０（ｃ）及び図２０（ｄ）は第７の実施形態に係る泡吐出容器の泡吐出ヘッドを示す図である。
【図２１】第７の実施形態において被吐出体（板）に泡が受け取られた状態を示す平面図である。
【図２２】第８の実施形態に係る泡吐出容器の正面断面図である。
【図２３】第９の実施形態に係る泡吐出容器の正面断面図である。
【図２４】第９の実施形態に係る泡吐出容器の泡吐出ヘッドを示す平面図である。
【図２５】図２５（ａ）、図２５（ｂ）及び図２５（ｃ）は第９の実施形態に係る泡吐出容器の泡吐出ヘッドを示す図である。
【図２６】第９の実施形態において被吐出体（板）に泡が受け取られた状態を示す平面図である。
【図２７】第１０の実施形態に係る泡吐出容器の正面断面図である。
【図２８】第１０の実施形態に係る泡吐出容器の泡吐出ヘッドの分解断面図である。
【図２９】第１０の実施形態に係る泡吐出容器を下方から仰視した斜視図である。
【図３０】第１１の実施形態に係る液剤吐出容器の正面断面図である。
【図３１】第１１の実施形態に係る液剤吐出容器の液剤吐出ヘッドの分解断面図である。
【図３２】第１１の実施形態に係る液剤吐出容器を下方から仰視した斜視図である。
【発明を実施するための形態】
【００１１】
以下、本発明の実施形態について、図面を用いて説明する。なお、すべての図面において、同様の構成要素には同一の符号を付し、重複する説明は適宜に省略する。
【００１２】
〔第１の実施形態〕
先ず、図１から図８を用いて第１の実施形態に係る泡吐出容器１００、泡吐出キャップ２００及び泡吐出ヘッド３００について説明する。
なお、図１及び図３における下方向が下方、上方向が上方である。すなわち、下方向（下方）は、泡吐出容器１００の底部１４が載置されて泡吐出容器１００が自立する状態での重力方向である。
図３では、泡吐出キャップ２００において破断線Ｈよりも下側の部分については、外形線のみを示している。
【００１３】
図１から図４のいずれかに示すように、泡吐出容器１００は、押圧操作に応じて泡を吐出する泡吐出容器１００であって、押圧操作による押圧方向（本実施形態では下方）に対する反対方向（本実施形態では上方）に開口していて泡を吐出する吐出口８３と、泡を受け取る被吐出体４０（例えば、図１、図８に示すように、手）と吐出口８３との距離を一定に維持する押圧部８５と、を備えている。従って、押圧方向に対する反対方向は、吐出口８３からの吐出方向でもある。第１の実施形態において、押圧操作による押圧方向が操作方向である。
泡吐出容器１００は、押圧操作に応じて泡を吐出する泡吐出ヘッド３００を備えており、泡吐出ヘッド３００は押圧部８５を備えている。押圧部８５は、吐出口８３から外方向に離間した位置において起立している起立部を有している。押圧部８５は、起立部を有することにより、吐出口８３と被吐出体４０との距離を形成する。押圧方向とは、押圧操作によって泡吐出ヘッド３００が容器本体１０に対して相対的に押圧される方向である。外方向とは、泡吐出ヘッド３００を上面視したとき、吐出口８３から、吐出口８３よりも外側の位置に向かう方向である。
本実施形態では、押圧操作により泡吐出ヘッド３００を押圧する方向が下方であるため、押圧操作のことを泡吐出ヘッド３００の押下操作と称する場合がある。
ここで、押圧方向と、押圧方向に対する反対方向とは、必ずしも、同一直線上で１８０度異なる方向でなくてもよく、およそ反対方向であればよい。したがって、押圧方向と、押圧方向に対する反対方向との間には、ある程度の軸ズレ（例えば、１０度以内の軸ズレ）が許容される。
また、被吐出体４０と吐出口８３との距離を一定に維持するとは、押圧操作の終了段階における被吐出体４０と吐出口８３との距離を、毎回の押圧操作において互いに一定となるようにすることであり、押圧操作の開始段階と終了段階とで被吐出体４０と吐出口８３との距離が変化することは許容される。例えば、毎回の押圧操作により押圧部８５が一定に潰れたり又は撓んだりすることが挙げられる。ただし、押圧操作の開始段階と終了段階とで被吐出体４０と吐出口８３との距離が変化する場合、距離の変化量は、毎回の押圧操作において互いに一定となることが好ましい。なお、本実施形態の場合、泡吐出ヘッド３００の全体が実質的に剛体であり、押圧操作の開始段階から終了段階に亘り被吐出体４０と吐出口８３との距離が一定に維持されるようになっている。
また、被吐出体４０と吐出口８３との距離を一定に維持するとは、図１及び図３等から分かるように、被吐出体４０と吐出口８３とが離間した状態（被吐出体４０と吐出口８３とが非接触の状態）に維持することである。押圧操作の開始段階から終了段階に亘り、被吐出体４０と吐出口８３とが離間した状態に維持される。
【００１４】
泡吐出容器１００は、液剤１０１（図３）を貯留する容器本体１０と、容器本体１０に対して着脱可能に装着される泡吐出キャップ２００と、を備えて構成されている。
換言すれば、泡吐出キャップ２００は、泡吐出容器１００の構成のうち容器本体１０を除く部分により構成されている。
泡吐出キャップ２００は、液剤１０１を貯留する容器本体１０に装着して用いられ、押圧操作に応じて泡を吐出する泡吐出キャップ２００であって、上述の吐出口８３と押圧部８５とを備えている。
【００１５】
また、泡吐出キャップ２００は、容器本体１０に対して着脱可能に装着されるキャップ９０と、キャップ９０に装着（例えば着脱可能に）して用いられる泡吐出ヘッド３００と、を備えて構成されている。
換言すれば、泡吐出ヘッド３００は、泡吐出キャップ２００の構成のうちキャップ９０を除く部分により構成されている。
泡吐出ヘッド３００は、液剤１０１を貯留する容器本体１０に装着されるキャップ９０に装着して用いられ、押圧操作に応じて泡を吐出するものであり、上述の吐出口８３と押圧部８５とを備えている。すなわち、泡吐出ヘッド３００がキャップ９０に装着され、且つ、キャップ９０が容器本体１０に装着された状態で、泡吐出ヘッド３００に対して押圧操作が行われることによって、泡吐出ヘッド３００が泡を吐出する。
後述するように、泡吐出ヘッド３００は、例えば、キャップ９０のポンプ部１２０が備えるピストンガイド１４０の上端部に対して装着される。
【００１６】
本実施形態では、液剤１０１として、ハンドソープを代表例として挙げることができるが、これに限られず、洗顔料、クレンジング剤、食器用洗剤、整髪料、ボディソープ、髭剃り用クリーム、ファンデーションや美容液等の肌用化粧料、染毛剤、消毒薬、パンなどの食品に塗布するクリーム、住居用洗剤、除菌剤、部分洗い用等の衣料用洗剤など、泡状で用いられる種々のものを例示することができる。泡化する前の液剤１０１の粘度、すなわち容器本体１０内の液剤１０１の粘度は、特に限定されないが、例えば、２０℃において約１ｍＰａ・ｓ以上２０ｍＰａ・ｓ以下とすることができる。液剤１０１の粘度はＢ型粘度計により測定する。Ｂ型粘度計としては、粘度に応じて選択されたロータを有するものが用いられる。このローターは、６０回転／分の回転数で回転する。ローターの回転開始から６０秒後の粘度を測定する。
【００１７】
目的形状の泡を受け取る被吐出体４０としては、手の他、洗浄用又は塗布用のスポンジ、クリームなどが塗布されるパン等の食品などが挙げられる。
【００１８】
容器本体１０の形状は特に限定されないが、容器本体１０は、例えば、胴部１１と、胴部１１の上端に連接されている肩部１２と、肩部１２の中央部から上方に突出している円筒状の口頸部１３（図３）と、胴部１１の下端を閉塞している底部１４と、を有している。口頸部１３の上端は開口している。
なお、泡吐出容器１００は、底部１４が水平な載置面上に載置された状態で自立可能である。また、泡吐出容器１００が自立した状態で泡吐出ヘッド３００に対する押下操作が行われることによって、吐出口８３から泡を吐出できるようになっている。
【００１９】
本実施形態の場合、泡吐出容器１００は、例えば、手動式のポンプ容器（ポンプフォーマー）であり、容器本体１０は液剤１０１を常圧で貯留する。また、泡吐出キャップ２００は、液剤１０１を泡化するフォーマー機構２０を備えている。
【００２０】
図３に示すように、キャップ９０は、口頸部１３に対して着脱可能に装着されるキャップ部材１１０と、泡吐出ヘッド３００の押下操作に連動して作動することにより液剤１０１及び空気をフォーマー機構２０に送出し且つ泡を吐出口８３から吐出させるポンプ部１２０と、容器本体１０内の液剤１０１をポンプ部１２０に吸い上げるためのディップチューブ１３０と、を備えている。ディップチューブ１３０の先端には、容器本体１０内の液剤１０１を吸入する吸入口が形成されている。
なお、ポンプ部１２０の構造はよく知られており、本明細書では詳細な説明を省略する。
【００２１】
キャップ９０は、泡吐出ヘッド３００が押下されることにより、液剤１０１を泡化し、泡を吐出する。本明細書では、泡状の液剤１０１を泡と呼称して、容器本体１０に貯留されている非泡状の液剤１０１と区別する。
【００２２】
キャップ部材１１０は、螺合等の止着方法によって口頸部１３に対して着脱可能に装着される円筒状の装着部１１１と、装着部１１１の上端部を閉塞している環状閉塞部１１２と、装着部１１１よりも小径の円筒状に形成されているとともに環状閉塞部１１２の中央部から上方に起立している起立筒部１１３と、を備えている。
なお、装着部１１１は、２重筒構造に形成されていて、そのうち内側の筒状部が口頸部１３に対して螺合するようになっていても良いし、一重の筒状に構成されていても良い。口頸部１３に装着部１１１が装着されることによって、キャップ部材１１０の全体、キャップ９０の全体、ひいては泡吐出キャップ２００の全体が容器本体１０に装着される。
泡吐出キャップ２００が容器本体１０に装着されることにより、泡吐出キャップ２００によって口頸部１３の上端の開口が閉塞される。
【００２３】
フォーマー機構２０は、ポンプ部１２０によって送出される液剤１０１と空気とが混合される気液混合部２１を含んでいる。気液混合部２１にて液剤１０１と空気とが混合されることによって、液剤１０１が泡化する（泡が生成される）。
ポンプ部１２０は、ボール弁１９０を含む液剤弁を備えており、この液剤弁が気液混合部２１に臨んで配置されている。
泡吐出ヘッド３００に対する押下操作が行われると、ボール弁１９０が押し上げられて液剤弁が開き、液剤１０１が気液混合部２１に流入する（つまり気液混合部２１に液剤１０１が送出される）ようになっている。
また、気液混合部２１に液剤１０１を送出する際に、ポンプ部１２０は、気液混合部２１に対する空気の送出も並行して行うようになっている。
【００２４】
ボール弁１９０の上方には、筒状のリング部材６０が配置されている。リング部材６０は、例えば、周知の泡吐出容器が備えるジェットリングであり、当該リング部材６０の軸心方向が上下に延在する姿勢で、後述する筒部７１の内部に配置されている。
リング部材６０の内部には、筒状のメッシュ保持リング５０が例えば上下２段に設けられている。下側のメッシュ保持リング５０の下端の開口と、上側のメッシュ保持リング５０の上端の開口には、それぞれメッシュ５１が設けられている。
リング部材６０の内部空間は、例えば、気液混合部２１の一部を構成している。
メッシュ保持リング５０及びメッシュ５１は、気液混合部２１とともにフォーマー機構２０を構成している。
気液混合部２１にて生成された泡がメッシュ５１を通過することにより、泡はよりきめ細かく均一になる。
【００２５】
泡吐出ヘッド３００は、例えば、以下に説明する第１ヘッド部材７０及び第２ヘッド部材８０の２つの部材によって構成されている。
【００２６】
先ず、図５（ａ）、図５（ｂ）、図５（ｃ）及び図５（ｄ）を用いて第１ヘッド部材７０について説明する。
図５（ａ）は第１ヘッド部材７０の平面図、図５（ｂ）は図５（ａ）のＢ−Ｂ線に沿った断面図（第１ヘッド部材７０の側断面図）、図５（ｃ）は第１ヘッド部材７０を斜め上方から視た斜視図、図５（ｄ）は第１ヘッド部材７０を斜め下方から視た斜視図である。
【００２７】
図５（ａ）、図５（ｂ）、図５（ｃ）及び図５（ｄ）のいずれかに示すように、第１ヘッド部材７０は、例えば、円筒状（円管状）の筒部７１と、筒部７１の上端に連接されている一次板状部７４と、一次板状部７４の上側に連接されている環状壁７５と、を備えている。
筒部７１の内部空間は、ノズル形成壁８４の内部空間と連通しており、筒部７１は、泡をノズル形成壁８４の内部空間に供給する。
【００２８】
筒部７１の内部空間の一部領域である保持部７２内にリング部材６０が保持されている（図３、図４参照）。すなわち、２段のメッシュ保持リング５０を保持したリング部材６０が、筒部７１の下端から筒部７１内に挿入されることによって、保持部７２に固定されている。筒部７１の内周面において、保持部７２の上方の部位には、リング部材６０が上方に移動することを規制して当該リング部材６０を位置決めさせる複数の縦リブが形成されている（図４、図５（ｂ）参照）。
【００２９】
一次板状部７４は、例えば、平板状に形成されており、一次板状部７４の板面は、筒部７１の軸心に対して直交している。一次板状部７４の平面形状は特に限定されないが、例えば、図５（ａ）に示すように円形となっている。
一次板状部７４の中央部には一次吐出口７３が形成されている。一次吐出口７３の平面形状は、例えば円形となっている。
【００３０】
環状壁７５は、一次板状部７４の周縁から上方に起立しており、平面視において円環状に形成されている。なお、環状壁７５の軸心は、筒部７１の軸心に対して平行に配置されており、より詳細には、筒部７１の軸心と同軸に配置されている。
環状壁７５の上端には開口７５ａが形成されている。
環状壁７５の内部空間は、一次板状部７４の一次吐出口７３を介して、筒部７１の内部空間と連通している。
【００３１】
次に、図６（ａ）、図６（ｂ）、図６（ｃ）及び図６（ｄ）を用いて第２ヘッド部材８０について説明する。
図６（ａ）は第２ヘッド部材８０の平面図、図６（ｂ）は図６（ａ）のＢ−Ｂ線に沿った断面図（第２ヘッド部材８０の側断面図）、図６（ｃ）は第２ヘッド部材８０を斜め上方から視た斜視図、図６（ｄ）は第２ヘッド部材８０を斜め下方から視た斜視図である。
【００３２】
図６（ａ）、図６（ｂ）、図６（ｃ）及び図６（ｄ）のいずれかに示すように、第２ヘッド部材８０は、例えば、対向部８２と、対向部８２の周縁部から下方に延びている環状壁８１と、対向部８２の周縁部から上方に延びている押圧部８５と、環状壁８１の内側において対向部８２から下方に延びている包囲壁８７と、を備えている。
【００３３】
対向部８２は、第１ヘッド部材７０の一次吐出口７３と対向して配置される平板状の板状部８２ａを備えており、この板状部８２ａには、泡を吐出する吐出口８３が形成されている。
対向部８２は、更に、板状部８２ａから上方に起立しているノズル形成壁８４と、包囲壁８７の内側において板状部８２ａから下方に突出している突起部８８と、を備えている。
板状部８２ａにおいて、平面視においてノズル形成壁８４の内側の部分には、上下に貫通した開口が形成されている。ノズル形成壁８４の先端の開口が、吐出口８３を構成している。すなわち、板状部８２ａの開口、ノズル形成壁８４の内部空間及び吐出口８３を介して、対向部８２の下方の空間と上方の空間とが相互に連通している。
【００３４】
なお、押圧部８５の高さは、ノズル形成壁８４の高さよりも大きい。押圧部８５の高さは、板状部８２ａからの押圧部８５の突出長であり、板状部８２ａの上面と押圧部８５の上端との高低差でもある。また、ノズル形成壁８４の高さは、板状部８２ａからのノズル形成壁８４の突出長であり、板状部８２ａの上面とノズル形成壁８４の上端との高低差でもある。
つまり、押圧部８５は、押圧操作による押圧方向に対する反対方向（上方）に向けて吐出口８３よりも延出している。
すなわち、吐出口８３は、反対方向に向けて起立するノズル形成壁８４の先端に形成され、押圧部８５は、反対方向に向けて吐出口８３よりも延出している。吐出口８３を具備し、押圧方向に対する反対方向に向けて起立しているノズル形成壁８４と比べて、押圧部８５は高く起立している。
【００３５】
ノズル形成壁８４及び吐出口８３の平面形状は、特に限定されない。ノズル形成壁８４及び吐出口８３の平面形状が円形の場合は、円形の泡を吐出することができる。また、ノズル形成壁８４及び吐出口８３の平面形状が非円形の場合も、当該平面形状に応じた形状の泡を吐出することができる。
すなわち、ノズル形成壁８４及び吐出口８３は、泡の目的形状と対応する形状に形成されている。
また、吐出口８３は、１つ（単数）の開口に限らず、互いに独立した複数の開口の集合体であってもよい。
また、ノズル形成壁８４及び吐出口８３の形状は、泡の目的形状と同一とは限らない。特定の立体泡を形成するためには、吐出口８３は、非円形形状であるか、又は、複数の開口を含んで構成されていることが好ましい。ここで、吐出口８３が複数の開口を含んでいるとは、吐出口８３が互いに独立して配置された複数の開口を含んでいることである。
【００３６】
本実施形態の場合、吐出口８３は、泡を所定の目的形状に整形して吐出する。ここで、泡を所定の目的形状に整形するとは、泡を非円形形状に整形することである。従って、吐出口８３より吐出された泡は、所定の目的形状に形成されており、泡は非円形形状となっている。泡が非円形形状であるとは、泡の平面視の形状が非円形であることを言う。ここで言う非円形には、単一な円形は含まれないが、複数の円の集合した形状や次に挙げる所定の目的形状が含まれる。泡の所定の目的形状としては、例えば、三角形、四角形、菱形、星形、またトランプのハート形、クローバー形、スペード形、またウサギや猫、象、クマ等の動物やゲームのキャラクタの全身や顔等の身体の一部の輪郭を模した形状、花や植物や、その果実、飛行機、自動車、ヨット等の乗り物の輪郭を模した形状等が挙げられる。
【００３７】
本実施形態の場合、泡の所定の目的形状（泡造形物１５０（図８）の形状）は、うさぎ（兎）を模した形状である。このため、ノズル形成壁８４及び吐出口８３は、例えば、うさぎの顔の部分（ただし耳を除く）を形成する泡を吐出する円形部分と、この円形部分から延出していてうさぎの耳をそれぞれ形成する２本の長尺な部分と、を含んでいる。なお、本実施形態の場合、吐出口８３が有する開口の数は１つ（単数）である。
【００３８】
板状部８２ａの平面形状は特に限定されないが、例えば、図６（ａ）に示すように円形となっている。
また、押圧部８５及び環状壁８１は、それぞれ平面視において円環状に形成されている。また、押圧部８５及び環状壁８１の各々の軸心は、板状部８２ａに対して直交している。
なお、環状壁８１と押圧部８５は、互いに同径に形成されており、且つ、互いに上下に連続している。したがって、環状壁８１及び押圧部８５の総体が、１つの円環状部（円筒状部）となっている。
本実施形態の場合、押圧部８５の上端面は、平面視円環状に形成されており、平坦且つ水平に配置されている。
【００３９】
押圧部８５は、上述したように吐出口８３から外方向に離間した位置において起立部を有している。そして、押圧部８５は、更に、押圧部８５の内側の領域と外側の領域とを相互に連通させる連通部を有する。本実施形態の場合、押圧部８５には、１つ又は複数の孔８６が形成されており、孔８６が連通部である。一例として、図２に示すように、押圧部８５の周方向において等角度間隔（９０度間隔）で４箇所にそれぞれ孔８６が形成されている。孔８６は、押圧部８５の内外を貫通しており、当該押圧部８５の内側の領域と外側の領域とを相互に連通させている。
すなわち、本実施形態の場合、押圧部８５は、吐出口８３の周囲を包囲し起立した壁状に形成されており、押圧部８５の内側の領域と外側の領域とを相互に連通させる孔８６を有する。
ここで、本実施形態の場合、押圧部８５の起立部は、吐出口８３の周囲を周回する連続壁として構成されているが、本発明は、この例に限らず、押圧部８５の起立部は、吐出口８３の周囲に間欠的に配置された複数の壁部により構成されていてもよい。
【００４０】
第１ヘッド部材７０と第２ヘッド部材８０は、例えば、第１ヘッド部材７０の環状壁７５と第２ヘッド部材８０の環状壁８１とが相互に嵌合することによって組み付けられて、泡吐出ヘッド３００を構成している。例えば、図３及び図４に示すように、環状壁７５が環状壁８１に嵌入することによって、第１ヘッド部材７０と第２ヘッド部材８０とが相互に組み付けられている。
【００４１】
第１ヘッド部材７０と第２ヘッド部材８０とが相互に組み付けられた状態で、例えば、環状壁７５の先端（上端）が板状部８２ａの下面に当接しているとともに、包囲壁８７の先端（下端）が周回状に一次板状部７４の上面に当接している。すなわち、包囲壁８７の下端は、全域に亘り水平に配置されている。また、一次板状部７４と板状部８２ａとは、例えば、互いに平行に対向している。また、環状壁７５の開口７５ａは第２ヘッド部材８０が備える対向部８２によって塞がれている。
また、突起部８８は、柱状（例えば先端部（下端部）が丸みを帯びた円柱状）に形成されていて、筒部７１と同軸に配置されており、突起部８８の先端部が一次吐出口７３内に入り込んでいる。
そして、筒部７１の内部空間が、一次吐出口７３を介して、包囲壁８７の内部空間と連通した状態となる。つまり、筒部７１の内部空間が、ノズル形成壁８４の内部空間と連通した状態となる。
【００４２】
ここで、ポンプ部１２０は、筒状に形成されたピストンガイド１４０を備えている。ピストンガイド１４０は、その上端部においてボール弁１９０を保持している。
泡吐出ヘッド３００は、例えば、泡吐出ヘッド３００の筒部７１を起立筒部１１３の上方から起立筒部１１３内に押し込み、筒部７１の下端部に対してピストンガイド１４０の上端部を差し込み固定することで、ピストンガイド１４０に装着されている。これにより、泡吐出ヘッド３００はピストンガイド１４０によって保持されている。
なお、泡吐出ヘッド３００の筒部７１に対するピストンガイド１４０の固定は、例えば嵌合により行われている。泡吐出ヘッド３００を上方に強く引っ張ることによって、筒部７１に対するピストンガイド１４０の嵌合が外れ、泡吐出ヘッド３００をキャップ９０から取り外すことができるようになっている。
【００４３】
ピストンガイド１４０は、コイルバネ等の付勢部材を介して、ポンプ部１２０のケースによって支持されている。
泡吐出ヘッド３００に対して押下操作が行われたときには、付勢部材の付勢に抗して泡吐出ヘッド３００及びピストンガイド１４０が一体に下降するようになっている。なお、泡吐出ヘッド３００の押下操作は、所定の下死点で停止するようになっている。
また、泡吐出ヘッド３００に対する押下操作が解除されると、泡吐出ヘッド３００及びピストンガイド１４０が付勢部材の付勢に従って上死点位置（図１〜図４の位置）まで上昇するようになっている。
なお、泡吐出容器１００は、泡吐出ヘッド３００に対する１回の押下操作（泡吐出ヘッド３００を上死点から下死点まで押し下げる操作）によって一定量の泡を吐出するようになっている。
【００４４】
また、ピストンガイド１４０と泡吐出ヘッド３００とが相互に固定されることによって、ボール弁１９０の上方にリング部材６０（リング部材６０はメッシュ保持リング５０を内包している）が配置される。
したがって、ボール弁１９０の配置領域は、リング部材６０及びメッシュ保持リング５０の内部空間を介して、筒部７１における保持部７２よりも上方の部分の内部空間と連通し、ひいては筒部７１の上端の一次吐出口７３に連通している。
すなわち、気液混合部２１を含むフォーマー機構２０は、筒部７１の内部空間を介して、一次吐出口７３に連通している。
泡吐出ヘッド３００に対する押下操作が行われると、フォーマー機構２０にて生成された泡が、筒部７１を介して一次吐出口７３から上方に吐出されるようになっている。
【００４５】
包囲壁８７は、平面視において閉ループ形状に形成されている。一次板状部７４と対向部８２との対向間隔であって、且つ、包囲壁８７によって囲まれている領域を、前室３０と称する。
フォーマー機構２０にて生成された泡は、筒部７１及びその上端の一次吐出口７３を介して前室３０に吐出されて該前室３０内に広がり、対向部８２の吐出口８３から上方に吐出されるようになっている。
【００４６】
すなわち、泡吐出容器１００は、泡を吐出する一次吐出口７３と、一次吐出口７３から吐出された泡が内部空間に広がる前室３０と、前室３０を間に挟んで一次吐出口７３と対向して配置されており吐出口８３が形成されている対向部８２と、を備えている。
ここで、対向部８２は、前室３０の天井面を構成する部分の全体であり、少なくとも、平面視において包囲壁８７の内側に配置されている。本実施形態の場合、対向部８２は、平面視において、環状壁８１及び押圧部８５の総体により構成される円環状部（円筒状部）の内側の領域のうち吐出口８３を除く領域の全域に配置され、平面視において包囲壁８７の外側の領域にも存在している。
【００４７】
ここで、図７に示すように、平面視において、押圧部８５の内側に包囲壁８７が収まっており、且つ、包囲壁８７の内側に吐出口８３及び一次吐出口７３が収まっている。
すなわち、泡吐出容器１００は、泡を吐出する一次吐出口７３を有する一次板状部７４と、一次吐出口７３から吐出された泡が内部空間に広がる前室３０と、前室３０を間に挟んで一次吐出口７３と対向して配置されており吐出口８３が形成されている対向部８２と、を備える。対向部８２は、前室３０を間に挟んで一次板状部７４と対向して配置されているとともに吐出口８３が形成された板状部８２ａを含んで構成される。前室３０は、一次板状部７４と板状部８２ａとの間において起立している包囲壁８７によって囲まれた領域であり、泡吐出容器１００を押圧方向に視たときに、押圧部８５の内側に包囲壁８７が収まっており、且つ、包囲壁８７の内側に吐出口８３及び一次吐出口７３が収まっている。
このため、包囲壁８７が存在しない場合（例えば前室３０が環状壁７５によって画定されている場合）と比べて、前室３０において泡が広がる範囲を制限できるため、泡をより確実に吐出口８３から吐出させることが可能となる。上記のように泡吐出容器１００は１回の押下操作によって一定量の泡を吐出するようになっているため、限られた量の泡を確実に吐出口８３から吐出させることができる。
【００４８】
なお、本実施形態の場合、包囲壁８７は第２ヘッド部材８０の一構成であり、包囲壁８７は板状部８２ａから一次板状部７４に向かって起立（垂下）している。
ただし、包囲壁８７は第１ヘッド部材７０の一構成であってもよく、この場合、包囲壁８７が一次板状部７４から板状部８２ａに向かって起立した構造となる。
また、包囲壁８７は、平面視において、包囲壁８７の内周面が吐出口８３（及びノズル形成壁８４の内周面）を取り囲む形状であればよい。前室３０の範囲をなるべく制限する観点からは、図７に示すように、包囲壁８７の内周面が、吐出口８３（及びノズル形成壁８４の内周面）をほぼ最短距離で取り囲んでいることが好ましい。また、平面視において、包囲壁８７の内周面（包囲壁８７の内周面の全体又は一部）は、ノズル形成壁８４の外周面よりも内側に形成されていることが好ましい。本実施形態の場合、平面視において、包囲壁８７の内周面の一部分が、ノズル形成壁８４の外周面の一部分に沿って配置されており、包囲壁８７の内周面の当該一部分が、ノズル形成壁８４の外周面の当該一部分よりも内側に配置されている。
または、包囲壁８７の内周面は、平面視において、吐出口８３の外形線と一致していてもよい。すなわち、包囲壁８７と吐出口８３とが平面視において互いに同じ寸法及び形状に形成されていて、且つ、互いに重ねて配置されていてもよい。
また、前室３０の高さ寸法は、前室３０を満たす泡の量を制限すること及び特定形状の泡の立体形成性が良好にする観点から、ノズル形成壁８４の高さ寸法の２０％ 以上であることが好ましく、３０％以上であることが更に好ましく、また１２０％以下であることが好ましく、１００％以下であることが更に好ましい。
【００４９】
また、上記のように、対向部８２は、板状部８２ａから下方に突出している突起部８８を備えており、本実施形態では、突起部８８の先端部が一次吐出口７３内に入り込んでいる。
すなわち、対向部８２は、一次吐出口７３側に向けて突出している突起部８８を含んで構成され、泡吐出容器１００を押圧方向に視たときに、突起部８８が一次吐出口７３の少なくとも一部分と重なっている。
したがって、泡吐出容器１００を押圧方向に視たときに、対向部８２が一次吐出口７３の少なくとも一部分を覆っている。すなわち、泡吐出容器１００を押圧方向に視たときに、対向部８２は一次吐出口７３の全体を覆っていてもよいし、一次吐出口７３の一部分を覆っていてもよい。
泡吐出容器１００を押圧方向に視たときに対向部８２が一次吐出口７３の少なくとも一部分を覆っていることにより、一次吐出口７３から吐出される泡を対向部８２に当てて広がらせた上で、吐出口８３によって泡を所定の目的形状に整形して吐出することができる。このため、吐出口８３の全域に泡を十分に行き渡らせることができる。よって、泡をより確実に、所定の目的形状に整形しやすくなる。
本実施形態の場合、突起部８８が一次吐出口７３に向けて突出しているため、一次吐出口７３から吐出された泡が突起部８８に当たることによって、より確実に広がるようにできる。
特に、突起部８８が一次吐出口７３内に入り込んでいるため、突起部８８によってより確実に泡を広がらせることができる。
【００５０】
泡吐出容器１００は以上のように構成されている。
【００５１】
次に、動作を説明する。
【００５２】
泡吐出ヘッド３００が押下操作されていない通常状態では、泡吐出ヘッド３００は上死点位置に存在している（図１〜図４）。
泡吐出ヘッド３００に対する押下操作は、図１に示すように手などの被吐出体４０で泡吐出ヘッド３００の上端（押圧部８５の上端）の開口８５ａを塞いだ状態（つまり、被吐出体４０が吐出口８３と対向する状態）で、被吐出体４０によって泡吐出ヘッド３００を押下することによって行うことができる。つまり、泡吐出ヘッド３００に対する押下操作を片手操作で行うことができる。
【００５３】
泡吐出ヘッド３００に対する押下操作が行われると、泡吐出ヘッド３００及びピストンガイド１４０がポンプ部１２０内の付勢部材の付勢に抗して容器本体１０に対して相対的に下降する。
この際に、ポンプ部１２０の作用により液剤１０１及び空気が気液混合部２１に供給され、該気液混合部２１にて泡が生成される。気液混合部２１にて生成された泡は、メッシュ５１を通過することによって、よりきめ細かく均一な泡となる。このようにしてフォーマー機構２０にて生成された泡は、筒部７１の内部を通過して一次吐出口７３から前室３０に吐出され、該前室３０にて広がる。
更に、泡は対向部８２に形成されたノズル形成壁８４を通過して、吐出口８３から吐出される。泡はノズル形成壁８４及び吐出口８３を通過することによって、所定の目的形状（本実施形態ではうさぎを模した形状）に整形され、開口８５ａを塞いでいる被吐出体４０の下面に付着する。すなわち、押圧部８５の押圧操作によって吐出口８３から飛び出した泡が被吐出体４０に転写され、所定の目的形状に整形された泡である泡造形物１５０が被吐出体４０の下面に付着した状態となる。
その後、泡吐出ヘッド３００に対する押下操作が解除されると、付勢部材の付勢に従ってピストンガイド１４０及び泡吐出ヘッド３００が上昇し、泡吐出ヘッド３００が上死点位置に復帰する。
その後、被吐出体４０を開口８５ａの上方に持ち上げて裏返すことにより、図８に示すように、被吐出体４０上に泡造形物１５０が形成された状態となる。すなわち、所定の目的形状の泡造形物１５０を被吐出体４０上に受け取ることができる。
なお、ピストンガイド１４０が上昇する際に、容器本体１０内の液剤１０１がディップチューブ１３０を介してポンプ部１２０内に吸い上げられる。
【００５４】
また、押圧部８５は、吐出口から外方向に離間した位置において起立している起立部を有しているため、押圧部８５の押圧操作によって、泡吐出ヘッド３００を安定的に押圧することができる。
本実施形態では、押圧部８５は、吐出口８３の周囲を包囲しているため、押圧部８５の上端面に被吐出体４０を押し当てて被吐出体４０によって押圧部８５を押し下げることによって、泡吐出ヘッド３００を安定的に押し下げることができる。
特に、押圧部８５の上端面は、全体が平坦且つ水平に配置されている。すなわち、押圧部８５の先端面（上端面）の全体が、押圧操作による押圧方向（上下方向）において、同一位置に配置されている。よって、泡吐出ヘッド３００に対する押圧操作をより安定的に行うことができる。
【００５５】
泡吐出ヘッド３００の押圧操作は、吐出口８３から泡をスムーズに吐出させ、手などの被吐出体４０上に安定して特定形状の泡を好適に形成する観点から、３０ｍｍ／ｓの速度で泡吐出ヘッド３００を押し下げるときの押圧力が、１Ｎ以上であることが好ましく、５Ｎ以上であることが更に好ましく、また４０Ｎ以下であることが好ましく、３５Ｎ以下であることが更に好ましい。
【００５６】
また、押圧部８５には、押圧部の内側の領域と外側の領域とを相互に連通させる孔８６が形成されている。よって、泡吐出ヘッド３００に対する押圧操作が行われる際に開口８５ａが被吐出体４０によって密閉されていても、押圧部８５の内側の空気を、孔８６を介して押圧部８５の外側にスムーズに排出することができる。
よって、泡吐出ヘッド３００の押下操作をより軽い力で行うことができるので、スムーズに泡吐出ヘッド３００を押下して吐出口８３から泡を吐出させることができる。また、スムーズに泡を排出できることで、特定形状の泡を好適に所望の立体形状に形成することができる。
【００５７】
吐出口８３の手前に配置された前室３０において泡が拡がって該前室３０が泡で満たされた後、泡が吐出口８３から吐出されるようにできるため、泡を吐出口８３の全域に十分に行き渡らせることが容易となり、泡を吐出口８３によって所定の目的形状に形成しやすくなる。また、対向部８２が配置されていることにより、一次吐出口７３から吐出された泡が前室３０において拡がり易くなっている。
【００５８】
なお、ここで説明したキャップ９０（ポンプ部１２０を含む）の構造および動作は一例であり、キャップ９０の構造としては、本発明の要旨を逸脱しない範囲において、その他の広く知られている構造のものを本実施形態に適用しても何ら差し支えが無い。
【００５９】
以上のような第１の実施形態によれば、泡吐出容器１００は、押圧操作による押圧方向に対する反対方向に開口していて泡を吐出する吐出口８３と、被吐出体４０と吐出口８３との距離を一定に維持する押圧部８５と、を備えている。
よって、手などの被吐出体４０によって押圧部８５に対して押圧操作を行うことにより、吐出口８３から吐出される泡を被吐出体４０に付着させることができる。したがって、片手操作で泡を手などの被吐出体４０上に受け取ることが可能である。つまり、簡易な操作で泡を被吐出体４０上に受け取ることができるため、泡吐出容器１００の利便性が向上する。
更に、被吐出体４０と吐出口８３との距離を押圧部８５によって一定に維持することができるため、吐出口８３から吐出された泡を被吐出体４０で潰すことなく、被吐出体４０上に受け取ることができる。
よって、特に、泡を所定の目的形状に整形して吐出する場合には、被吐出体４０上に、より正確に目的形状の泡を形成しやすくなる。つまり、泡吐出容器１００による泡の加工性が良好となる。
また、吐出口８３がノズル形成壁８４の先端に形成されていることにより、押圧操作による押圧方向に対する反対方向へ、泡を安定して吐出することができる。押圧部８５は、該反対方向に向けて、ノズル形成壁８４の先端に形成された吐出口８３よりも延出していることによって、泡を被吐出体４０上に好適に受け取ることができる。
【００６０】
ここで、泡造形物１５０を被吐出体４０上に好適に受け取ることができるように、押圧部８５の高さ寸法は、ノズル形成壁８４の高さ寸法の２倍以上であることが好ましく、３倍以上であることが更に好ましく、また、１０倍以下であることが好ましく、８倍以下であることが更に好ましい。
また、吐出口８３と押圧部８５との高低差は、５ｍｍ以上２０ｍｍ以下であることが好ましく、７ｍｍ以上１８ｍｍ以下であることが更に好ましい。
また、ノズル形成壁８４の高さ寸法は、泡を吐出口８３から被吐出体４０上に良好に受け取れるようにする観点から、１ｍｍ以上であることが好ましく、２ｍｍ以上であることが更に好ましく、また１０ｍｍ以下であることが好ましく、８ｍｍ以下であることが更に好ましい。
また、吐出口８３の対向位置に被吐出体４０を配置せずに押圧部８５に対して押圧操作が行われた場合に、吐出口８３から吐出される泡が押圧部８５の先端（上端）よりも上方に飛び出すように、ポンプ部１２０等のフォーマー機構２０の構造、押圧部８５やノズル形成壁８４の高さ寸法等が設定されていることが好ましい。
【００６１】
〔第２の実施形態〕
次に、図９及び図１０を用いて第２の実施形態に係る泡吐出容器１００、泡吐出キャップ２００及び泡吐出ヘッド３００について説明する。
本実施形態に係る泡吐出容器１００、泡吐出キャップ２００及び泡吐出ヘッド３００は、以下に説明する点で、上記の第１の実施形態に係る泡吐出容器１００、泡吐出キャップ２００及び泡吐出ヘッド３００と相違しており、その他の点では、上記の第１の実施形態に係る泡吐出容器１００、泡吐出キャップ２００及び泡吐出ヘッド３００と同様に構成されている。
【００６２】
本実施形態に係る泡吐出ヘッド３００の押圧部８５は、孔８６を有していない代わりに、連通部として上端に形成された切欠形状部８９を有している。この切欠形状部８９は、押圧部８５の上端における切欠形状部８９の非形成領域よりも、下に向けて窪んだ形状となっている。切欠形状部８９の数は１つ以上であれば良いが、本実施形態の場合、図９及び図１０に示すように、押圧部８５の周方向において等角度間隔で複数（例えば８つ）の切欠形状部８９が形成されている。
【００６３】
すなわち、本実施形態の場合、泡吐出容器１００は、押圧部８５の内側の領域と外側の領域とを相互に連通させる連通部としての切欠形状部８９を有する。
【００６４】
本実施形態の場合、押圧部８５の上端に手などの被吐出体４０を配置して、該被吐出体４０によって泡吐出ヘッド３００を押下する際に、各切欠形状部８９の形成箇所において、被吐出体４０と押圧部８５との間に隙間が形成される（図１０）。よって、この隙間を介して押圧部８５の内側の空気を押圧部８５の外側にスムーズに排出することができる。
このため、泡吐出ヘッド３００の押下操作をより軽い力で行うことができるので、スムーズに泡吐出ヘッド３００を押下して吐出口８３から泡を吐出させることができる。
【００６５】
〔第３の実施形態〕
次に、図１１から図１３を用いて第３の実施形態に係る泡吐出容器１００、泡吐出キャップ２００及び泡吐出ヘッド３００について説明する。
本実施形態に係る泡吐出容器１００、泡吐出キャップ２００及び泡吐出ヘッド３００は、吐出口８３及びノズル形成壁８４の形状が、上記の第１の実施形態に係る泡吐出容器１００、泡吐出キャップ２００及び泡吐出ヘッド３００と相違しており、その他の点では、上記の第１の実施形態に係る泡吐出容器１００、泡吐出キャップ２００及び泡吐出ヘッド３００と同様に構成されている。
【００６６】
本実施形態の場合、図１３に示すように、泡造形物１５０は、人の目をそれぞれ模した２つの第１部分１５０ａと、笑った人の口を模した１つの第２部分１５０ｂと、を含む形状（人の笑顔を模した形状）である。
図１１及び図１２に示すように、吐出口８３及びノズル形成壁８４は、このような形状の泡造形物１５０に対応するものとなっており、吐出口８３は、複数の開口を含んで構成されており、泡吐出容器１００、泡吐出キャップ２００及び泡吐出ヘッド３００は、各開口に対応する複数のノズル形成壁８４を有している。
すなわち、第２ヘッド部材８０は、ノズル形成壁８４として、例えば、それぞれ平面形状が円形の２つの第１壁部８４ａと、平面形状が弧状の１つの第２壁部８４ｂと、を有しており、吐出口８３は、それぞれ平面形状が円形の開口である２つの第１部分８３ａと、平面形状が弧状の１つの開口である第２部分８３ｂと、を含んで構成されている。各第１部分８３ａは、各第１壁部８４ａの先端に形成されており、第２部分８３ｂは、第２壁部８４ｂの先端に形成されている。
【００６７】
〔第４の実施形態〕
次に、図１４から図１６を参照して第４の実施形態に係る泡吐出容器、泡吐出キャップ及び泡吐出ヘッド３００について説明する。
本実施形態に係る泡吐出容器、泡吐出キャップ及び泡吐出ヘッド３００は、以下に説明する点で、上記の第１の実施形態に係る泡吐出容器１００、泡吐出キャップ２００及び泡吐出ヘッド３００と相違しており、その他の点では、上記の第１の実施形態に係る泡吐出容器１００、泡吐出キャップ２００及び泡吐出ヘッド３００と同様に構成されている。
本実施形態の場合、泡吐出容器、泡吐出キャップ及び泡吐出ヘッド３００は、包囲壁８７を有していない。
【００６８】
本実施形態の場合、泡造形物１５０は、図１６に示すように雪だるまを模した形状である。
図１４及び図１５に示すように、吐出口８３及びノズル形成壁８４は、このような形状の泡造形物１５０に対応するものとなっており、吐出口８３は、複数の開口を含んで構成されており、泡吐出容器１００、泡吐出キャップ２００及び泡吐出ヘッド３００は、各開口に対応する複数のノズル形成壁８４を有している。
すなわち、第２ヘッド部材８０は、複数のノズル形成壁８４として、例えば、それぞれ平面形状が円形の第１壁部８４ａ及び第２壁部８４ｂを有している。第１壁部８４ａの内部空間の平面積は、第２壁部８４ｂの内部空間の平面積よりも大きい。なお、第１壁部８４ａと一次吐出口７３との距離は、第２壁部８４ｂと一次吐出口７３との距離よりも小さい。
また、吐出口８３は、それぞれ平面形状が円形の開口である第１部分８３ａ及び第２部分８３ｂを含んで構成されている。第１部分８３ａは、第１壁部８４ａの先端に形成されており、第２部分８３ｂは、第２壁部８４ｂの先端に形成されている。第１部分８３ａの平面積は、第２部分８３ｂの平面積よりも大きい。なお、第１部分８３ａと一次吐出口７３との距離は、第２部分８３ｂと一次吐出口７３との距離よりも小さい。
【００６９】
第１壁部８４ａ及び第１部分８３ａは、例えば、平面視において一次吐出口７３と一部重複するように配置されており、第２壁部８４ｂ及び第２部分８３ｂは、例えば、平面視において一次吐出口７３と重複しないように配置されている。
また、平面視において、第１壁部８４ａ及び第１部分８３ａと、第２壁部８４ｂ及び第２部分８３ｂとは、一次吐出口７３の中心を間に挟んで、互いに反対側に配置されている。
【００７０】
本実施形態の場合、図１４及び図１５に示すように、対向部８２は、板状部８２ａから下方に突出して形成された阻害誘導壁１８０を備えている。
阻害誘導壁１８０は、例えば、平面視にて、第１壁部８４ａにおいて一次吐出口７３に近い側の半部から下方に突出して形成されており、当該阻害誘導壁１８０の平面形状が半円弧状となっている。つまり、阻害誘導壁１８０は、半筒状に形成されている。
このような形状及び配置とされた阻害誘導壁１８０は、一次吐出口７３から前室３０に吐出される泡が第１壁部８４ａ及び第１部分８３ａ側に流動することを阻害する阻害部としての機能を有する。
また、このような形状及び配置とされた阻害誘導壁１８０は、一次吐出口７３から前室３０内に吐出された泡を第２壁部８４ｂ及び第２部分８３ｂ側に誘導する誘導部としての機能を兼ねる。
【００７１】
このように、吐出口８３は、第１吐出領域（第１部分８３ａ）と第２吐出領域（第２部分８３ｂ）とを含んで構成され、泡吐出容器は、一次吐出口７３から前室３０に吐出される泡が第１吐出領域へ流動することを阻害する阻害部（阻害誘導壁１８０により構成される）と、一次吐出口７３から前室３０に吐出される泡を第２吐出領域へ誘導する誘導部（阻害誘導壁１８０により構成される）と、の一方又は両方（本実施形態の場合、両方）を備えている。
すなわち、阻害誘導壁１８０によって、泡が第１部分８３ａへ流動することを阻害することにより、第１部分８３ａからの泡の吐出量が過大となってしまうことを抑制できる。また、阻害誘導壁１８０によって、泡を第２部分８３ｂへ誘導することにより、第２部分８３ｂからの泡の吐出量が過小となってしまうことを抑制できる。
つまり、第１部分８３ａと第２部分８３ｂとのうち、より吐出口１８３に近く且つ平面積（開口面積）が大きい第１部分８３ａからの泡の吐出量が過大となることを抑制しつつ、より吐出口１８３から遠く且つ平面積（開口面積）が小さい第２部分８３ｂからの泡の吐出量が過小となることを抑制できる。
これにより、第１部分８３ａと第２部分８３ｂとのそれぞれからバランスよく泡を吐出し、泡造形物１５０を所定の目的形状に整形することが可能となる。
なお、阻害誘導壁１８０は、一次吐出口７３から前室３０への泡の流れを調整する機能と、前室３０から吐出口８３への泡の流れを調整する機能と、を有する。
【００７２】
ここで、阻害誘導壁１８０の壁面のうち、第２壁部８４ｂ及び第２部分８３ｂ側の壁面である傾斜壁面１８１（つまり半筒形状の阻害誘導壁１８０の外面）は、上方に向かうにつれて第２壁部８４ｂ及び第２部分８３ｂ側に近づくように傾斜している。このため、傾斜壁面１８１によって、一次吐出口７３から前室３０内に吐出された泡を第２壁部８４ｂ及び第２部分８３ｂ側に効果的に誘導することができる。
【００７３】
本実施形態の場合、平面視において、阻害誘導壁１８０の一部分が一次吐出口７３と重なっている。すなわち、阻害誘導壁１８０の一部分が一次吐出口７３の対向位置に配置されている。ただし、本発明において、阻害誘導壁１８０を配置する位置は、一次吐出口７３の対向位置に限定されない。
また、阻害誘導壁１８０の先端（下端）は、一次板状部７４の上面には達しておらず、一次板状部７４の上面よりも上方に位置している。
【００７４】
なお、第４の実施形態では、第１吐出領域（第１部分８３ａ）の開口面積が第２吐出領域（第２部分８３ｂ）の開口面積よりも大きい例を説明したが、本発明において、第１吐出領域の開口面積と第２吐出領域の開口面積との大小関係は特に限定されない。第１吐出領域の開口面積と第２吐出領域の開口面積は、互いに等しくてもよいし、第１吐出領域の開口面積よりも第２吐出領域の開口面積の方が大きくてもよい。
また、第４の実施形態では、第１吐出領域（第１部分８３ａ）の方が第２吐出領域（第２部分８３ｂ）よりも一次吐出口７３の近くに配置されている例を説明したが、本発明において、第１吐出領域と一次吐出口７３との距離と、第２吐出領域と一次吐出口７３との距離との関係は、特に限定されない。第１吐出領域と一次吐出口７３との距離と、第２吐出領域と一次吐出口７３との距離とは、互いに等しくてもよいし、第１吐出領域と一次吐出口７３との距離よりも第２吐出領域と一次吐出口７３との距離の方が小さくてもよい。
また、第４の実施形態において、第１吐出領域（第１部分８３ａ）及び第２吐出領域（第２部分８３ｂ）の形状は上記の例に限らず、例えば、第１吐出領域が第２吐出領域よりも太幅（第２吐出領域が第１吐出領域よりも細幅）である場合に、泡吐出容器が阻害部又は誘導部の一方又は両方を備えていてもよい。
第２吐出領域は、開口面積が小さいほど、また、一次吐出口７３から遠くに配置されているほど、また、細幅に形成されているほど、泡の吐出量が少なくなりがちであるが、泡吐出容器が阻害部又は誘導部の一方又は両方を備えることにより、第２吐出領域から吐出される泡の量を十分に確保し、泡を所定の目的形状に整形しやすくすることができる。
【００７５】
なお、第４の実施形態においては、第１吐出領域と第２吐出領域とが相互に離間した開口（第１部分８３ａと第２部分８３ｂ）である例を説明した。すなわち、吐出口８３が複数の開口の集合体である例を説明した。
ただし、本発明は、この例に限らず、第１吐出領域と第２吐出領域とは、これら第１吐出領域及び第２吐出領域よりも細幅の接続開口を介して相互に繋がっていてもよい。すなわち、第１吐出領域と第２吐出領域とは、一の開口の一部分ずつにより構成されていてもよい。
【００７６】
〔第５の実施形態〕
次に、図１７（ａ）及び図１７（ｂ）を用いて第５の実施形態に係る泡吐出容器、泡吐出キャップ及び泡吐出ヘッドについて説明する。図１７（ａ）は第５の実施形態に係る泡吐出ヘッド（ヘッド部材１７０）の平面図、図１７（ｂ）は図１７（ａ）のＢ−Ｂ線に沿った断面図である。
本実施形態に係る泡吐出容器及び泡吐出キャップは、以下に説明する泡吐出ヘッドを備えている点で、上記の第１の実施形態に係る泡吐出容器１００及び泡吐出キャップ２００と相違しており、その他の点では、上記の第１の実施形態に係る泡吐出容器１００及び泡吐出キャップ２００と同様に構成されている。
【００７７】
本実施形態の場合、泡吐出ヘッドは、図１７（ａ）及び図１７（ｂ）に示すヘッド部材１７０により構成されている。すなわち、本実施形態においては、泡吐出ヘッドは１つの部材により構成されている。
【００７８】
ヘッド部材１７０は、筒状の筒部１７１と、筒部１７１の上端部の内周側に設けられている板状部１８２と、板状部１８２に形成された吐出口１８３と、を有している。
より詳細には、板状部１８２は、当該板状部１８２における平板状の部分から上方に向けて起立している吐出口形成壁１８４を備え、この吐出口形成壁１８４の先端（上端）に吐出口１８３が形成されている。
なお、吐出口１８３及び吐出口形成壁１８４の平面形状は特に限定されないが、例えば、図１７（ａ）に示すような星形となっている。
【００７９】
筒部１７１は、第１の実施形態における筒部７１に相当する。ヘッド部材１７０は、例えば、第１の実施形態のように、筒部１７１をキャップ部材１１０に対し上方から起立筒部１１３内に押し込み、筒部１７１の下端部に対してピストンガイド１４０の上端部を差し込み固定することで、ピストンガイド１４０に装着されている。
【００８０】
ヘッド部材１７０は、更に、板状部１８２の周縁から上方に起立している押圧部１８５と、押圧部１８５に形成されている孔８６と、を有している。押圧部１８５は、吐出口１８３よりも上方に延びている。押圧部１８５の上端には開口１８５ａが形成されている。
押圧部１８５の平面形状は、例えば、筒部１７１の平面形状と一致している。
なお、吐出口形成壁１８４は、平面視において、押圧部１８５の内側に収まっている。
【００８１】
本実施形態の場合、泡吐出ヘッドは、前室３０（包囲壁８７）、一次吐出口７３、突起部８８、一次板状部７４、環状壁７５及び環状壁８１に相当する構成を備えていない。このため、上記の各実施形態と比べて、泡吐出容器、泡吐出キャップ及び泡吐出ヘッドが簡単な構成となる。
【００８２】
本実施形態においては、フォーマー機構２０により生成された泡は、板状部１８２及び吐出口形成壁１８４によって絞り込まれて、吐出口１８３から吐出される。
本実施形態の場合、手などの被吐出体を押圧部１８５の上端に配置して、泡吐出ヘッドに対して押下操作を行うことによって、被吐出体に所定の目的形状（例えば星形）の泡造形物を付着させることができる。
【００８３】
〔第６の実施形態〕
次に、図１８を用いて第６の実施形態に係る泡吐出容器、泡吐出キャップ及び泡吐出ヘッドについて説明する。
本実施形態に係る泡吐出容器及び泡吐出キャップは、以下に説明する泡吐出ヘッドを備えている点で、上記の第５の実施形態に係る泡吐出容器及び泡吐出キャップと相違しており、その他の点では、上記の第５の実施形態に係る泡吐出容器及び泡吐出キャップと同様に構成されている。
【００８４】
本実施形態の場合、泡吐出ヘッドは、図１８に示すヘッド部材１７０により構成されている。すなわち、本実施形態においても、泡吐出ヘッドは１つの部材により構成されている。
本実施形態におけるヘッド部材１７０は、以下に説明する点で、上記の第５の実施形態におけるヘッド部材１７０と相違しており、その他の点では、上記の第５の実施形態におけるヘッド部材１７０と同様に構成されている。
本実施形態の場合、板状部１８２は、筒部１７１の上端から外方に（周囲に）張り出している。
また、吐出口形成壁１８４は、平面視において、筒部１７１の上端の一次吐出口１７１ａよりも広い範囲を囲んでいる。
また、吐出口形成壁１８４の上端にはメッシュ１７７が設けられている。よって、吐出口形成壁１８４の上端の吐出口１８３からは、メッシュ１７７を通過した泡が吐出される。
【００８５】
本実施形態においては、フォーマー機構２０により生成された泡は、メッシュ１７７による圧損を受けるため、筒部１７１の先端の一次吐出口１７１ａから吐出された後、吐出口形成壁１８４の内部空間である前室３０内に広がって、吐出口１８３から吐出される。
よって、吐出口形成壁１８４及び吐出口１８３によって、泡を所定の目的形状（例えば、第５の実施形態と同様の星形）に整形して吐出することができる。
また、泡が吐出口１８３から吐出される際にメッシュ１７７を通過することによって、泡をよりきめ細かく均一にすることができる。
【００８６】
〔第７の実施形態〕
次に、図１９から図２１を用いて第７の実施形態に係る泡吐出ヘッド３００について説明する。
なお、図２０（ａ）は泡吐出ヘッド３００の平面図、図２０（ｂ）は泡吐出ヘッド３００の斜視図、図２０（ｃ）は図２０（ａ）のＡ−Ａ線に沿った泡吐出ヘッド３００の断面図、図２０（ｄ）は泡吐出ヘッド３００の側面図である。
本実施形態に係る泡吐出ヘッド３００は、以下に説明する点で、上記の第１の実施形態に係る泡吐出ヘッド３００と相違しており、その他の点では、上記の第１の実施形態に係る泡吐出ヘッド３００と同様に構成されている。
【００８７】
本実施形態に係る泡吐出ヘッド３００のノズル形成壁８４は、押圧方向に視たときの形状が円形となっている（図２０（ａ））。つまり、ノズル形成壁８４の平面形状が円形となっている。また、泡吐出ヘッド３００は、単一のノズル形成壁８４を備えている。
このため、本実施形態の場合、例えば図２１に示すように、円形の泡体１５１を形成することができる。以下の説明では、非円形形状の泡造形物と区別して、被吐出体４０に吐出された円形の泡を泡体１５１と称する。
【００８８】
また、上記の第１実施形態では、泡吐出ヘッド３００が第１ヘッド部材７０と第２ヘッド部材８０との２つの部材によって構成されている例を説明したが、本実施形態の場合、泡吐出ヘッド３００は、単一の部材により構成されている。
【００８９】
図１９、図２０（ａ）、図２０（ｂ）、図２０（ｃ）及び図２０（ｄ）のいずれかに示すように、泡吐出ヘッド３００は、例えば、筒部７１と、筒部７１の上端部に設けられている台状部７７と、を備えている。台状部７７の上面は平坦に形成されている。
泡吐出ヘッド３００は、更に、台状部７７の上面から上方に突出しているノズル形成壁８４と、台状部７７から下方に延びていて筒部７１の上部７１ａの周囲に配置されている外筒部７６と、を備えている。
ノズル形成壁８４は、例えば、台状部７７の中央部に配置されている。筒部７１の内部空間は、ノズル形成壁８４の内部空間と連通しており、筒部７１は、ノズル形成壁８４の内部空間に泡を供給する。筒部７１とノズル形成壁８４とが互いに同軸に配置されている。筒部７１の内部空間がノズル形成壁８４の内部空間と直に連通している。このため、本実施形態の場合、泡吐出ヘッド３００は上述の前室３０を有していない。
外筒部７６の内径は、筒部７１の外径よりも大径に設定されている。
泡吐出ヘッド３００は、更に、台状部７７の上面における周縁部から上方に向けて立設された押圧部８５を備えている。より詳細には、押圧部８５は、台状部７７の上面の周方向において間欠的に（例えば等角度間隔に）配置されている複数（例えば４つ）の柱状部８５１と、これら柱状部８５１の上側に配置されている環状部８５２と、を含んで構成されている。環状部８５２は、水平に配置されており、各柱状部８５１の上端どうしを相互に連結している。柱状部８５１が押圧部８５における起立部である。
【００９０】
なお、本実施形態の場合、孔８６の下端の高さ位置が、ノズル形成壁８４の上端の高さ位置よりも低く設定されている（図１９、図２０（ｃ）、図２０（ｄ））。よって、シャワーの水（湯）などがかかる環境下に泡吐出容器１００が配置されていても、台状部７７の上面上に溜まった水が、ノズル形成壁８４に流入することなく、孔８６を介して外部にスムーズに排出される。
より詳細には、本実施形態の場合、孔８６の下端の高さ位置が、台状部７７の上面の高さ位置と等しく設定されている（図１９、図２０（ｃ）、図２０（ｄ））。これにより、シャワーの水（湯）などがかかる環境下に泡吐出容器１００が配置されていても、水が孔８６を介して外部にスムーズに排出されるため、台状部７７の上面上に水が溜まってしまうことを抑制できる。
【００９１】
また、本実施形態の場合、台状部７７の上面から環状部８５２の上端位置までの高低差を高さＨ１（図２０（ｄ））とすると、孔８６の高さ寸法Ｈ２（図２０（ｄ））は、例えば、高さＨ１の５０％以上となっていることが好ましい。これによって、より好適に水が孔８６を介して外部にスムーズに排出されるようにできる。また、押圧部８５の構造的強度を十分に確保する観点から、孔８６の高さ寸法Ｈ２（図２０（ｄ））は高さＨ１の９５％以下であることが好ましい。なお、高さＨ１は押圧部８５の起立高さでもある。
【００９２】
また、本実施形態の場合、押圧部８５の周方向において孔８６が配置されている領域の延べ長さが、押圧部８５の周長の５０％以上の範囲に設定されていることが好ましく、６０％以上の範囲に設定されていることが更に好ましい。すなわち、図２０（ａ）に示す長さＬの４倍の長さは、押圧部８５の周長の５０％以上となっている。これによって、より好適に水が孔８６を介して外部にスムーズに排出されるようにできる。また、押圧部８５の構造的強度を十分に確保する観点から、孔８６が配置されている領域の延べ長さが、押圧部８５の周長の９５％以下の範囲に設定されていることが好ましい。
【００９３】
本実施形態に係る泡吐出容器１００及び泡吐出キャップ２００は、図１９、図２０（ａ）、図２０（ｂ）、図２０（ｃ）及び図２０（ｄ）に示す泡吐出ヘッド３００を備える点で、上記の第１の実施形態に係る泡吐出容器１００及び泡吐出キャップ２００と相違しており、その他の点では、上記の第１の実施形態に係る泡吐出容器１００及び泡吐出キャップ２００と同様に構成されている。
【００９４】
本実施形態の場合、泡吐出ヘッド３００に対する押下操作は、手などの被吐出体４０を環状部８５２の上面に当てた状態で、被吐出体４０によって泡吐出ヘッド３００を押し下げることにより行われる。
【００９５】
〔第８の実施形態〕
次に、図２２を用いて第８の実施形態に係る泡吐出容器１００について説明する。
図２２では、泡吐出キャップ２００において、破断線Ｈ４よりも下側で且つ破断線Ｈよりも上側の部分については、外形線のみを示している。
本実施形態に係る泡吐出容器１００は、以下に説明する点で、上記の第７の実施形態に係る泡吐出容器１００と相違しており、その他の点では、上記の第７の実施形態に係る泡吐出容器１００と同様に構成されている。
【００９６】
本実施形態の場合、ディップチューブ１３０が屈曲しており、ディップチューブ１３０の先端１３１は、例えば、胴部１１の上端部付近に位置している。これにより、図２２に示すように泡吐出容器１００を上下逆さまにした状態において、ディップチューブ１３０の先端１３１が容器本体１０内の液剤１０１に浸るようにできる。
なお、ディップチューブ１３０の基端１３２は、ポンプ部１２０の下端（図２２のように泡吐出容器１００を上下逆さまにした状態ではポンプ部１２０の上端）に形成された筒状のチューブ保持部１２９に固定されている。
このように、泡吐出キャップ２００は、容器本体１０内の液剤１０１をポンプ部１２０に供給するディップチューブ１３０を備え、吐出口８３が下向きの状態でディップチューブ１３０の先端１３１の吸入口が容器本体１０内の液剤１０１の液面よりも下に位置するようになっている。ここでいう下向きは、重力方向である。
【００９７】
本実施形態の場合、泡吐出ヘッド３００に対する押下操作は、図２２に示すように、泡吐出容器１００を上下逆さまにして、環状部８５２を被吐出体４０に当てた状態で、容器本体１０を下方（重力方向）に押し下げることにより行われる。つまり、本実施形態に係る泡吐出容器１００の泡吐出ヘッド３００に対する押圧操作は、押圧部８５を被吐出体４０に当てた状態で、容器本体１０を被吐出体４０に向けた方向に押圧することにより行われる。押圧操作により、泡は、ノズル形成壁８４を通過して吐出口８３から吐出される。吐出口８３から飛び出した泡は被吐出体４０に転写され、図２１のように円形に整形された泡である泡体１５１が被吐出体４０に付着した状態となる。ここで、被吐出体４０は、上向きの上面を有するものであれば何でも良く、例えば、テーブルや床などを被吐出体４０とすることができる。なお、片手で容器本体１０を把持し、他方の手に環状部８５２を当てた状態で容器本体１０を下方に押し下げることによって、他方の手（被吐出体４０）に泡体１５１（図２１）を吐出することもできる。また、片手で容器本体１０を把持し、下方に位置する他方の手（被吐出体４０）に押圧部８５の環状部８５２を当てた状態で、下方に位置する他方の手で押圧部８５を押し上げることで、泡吐出容器１００の泡吐出ヘッド３００に対する押圧操作を行ってもよい。また、本実施形態においても、押圧操作の開始段階から終了段階に亘り、被吐出体４０と吐出口８３とが離間した状態に維持される。
【００９８】
このように、泡吐出容器１００は、液剤１０１を貯留する容器本体１０と、容器本体１０に装着され押圧操作に応じて泡を吐出する泡吐出キャップ２００と、を備え、泡吐出キャップ２００は、吐出口８３と押圧部８５とを備えているとともに、容器本体１０が押圧部８５に対して相対的に押圧方向に移動することにより液剤１０１を泡に生成して吐出口８３から泡を吐出させるポンプ部１２０を備えており、容器本体１０は、押圧操作の際に使用者に把持及び押圧される操作部である。
【００９９】
また、本実施形態の場合、泡吐出容器１００は、図２２に示すように吐出口８３を下向きにして押圧部８５（の環状部８５２）が載置面に接触する状態（接地する状態）で自立可能である。したがって、泡吐出容器１００は、図２２の姿勢での保存も可能である。ここでいう下向きも、重力方向である。
【０１００】
なお、ディップチューブ１３０を柔軟に構成し、ディップチューブ１３０の先端１３１におもり（不図示）を取り付けることによって、泡吐出容器１００を図１９に示す向き（吐出口８３が上向き）で使用する際と、図２２に示す逆さ向き（吐出口８３が下向き）で使用する際と、の双方においてディップチューブ１３０の先端１３１が液剤１０１に浸るようにできる。これにより、泡吐出容器１００をこれら両方の向きでの使用に兼用させることが可能となる。また、この場合、吐出口８３を上でも下でもない他の向き（例えば横向き（水平な向き））にして泡吐出容器１００を使用するときにも、ディップチューブ１３０の先端１３１が液剤１０１に浸るようにでき、例えば、鉛直な壁面（載置面や床に対して垂直な壁面）などに泡造形物１５０を付着させることなどが可能である。
【０１０１】
このように、泡吐出容器１００は、吐出口８３が上向きの正立状態及び吐出口８３が下向きの倒立状態の双方において使用可能な正倒立泡吐出容器である。泡吐出容器１００が正倒立泡吐出容器であることにより、押圧部８５に被吐出体４０に当てた状態で、押圧部８５又は容器本体１０を押圧操作して、押圧部８５（泡吐出ヘッド３００）と容器本体１０との相対的距離を近付けることで、吐出口８３から吐出した泡を被吐出体４０に付着させることができる。
【０１０２】
〔第９の実施形態〕
次に、図２３から図２６を用いて第９の実施形態に係る泡吐出容器１００、泡吐出キャップ２００及び泡吐出ヘッド３００について説明する。
なお、図２５（ａ）は泡吐出ヘッド３００の斜視図、図２５（ｂ）は泡吐出ヘッド３００の側面図、図２５（ｃ）は図２４のＡ−Ａ線に沿った泡吐出ヘッド３００の断面図である。
【０１０３】
本実施形態に係る泡吐出容器１００は、以下に説明する泡吐出ヘッド３００を備えている点で、上記の第８の実施形態に係る泡吐出容器１００と相違しており、その他の点では、上記の第８の実施形態に係る泡吐出容器１００と同様に構成されている。
【０１０４】
また、本実施形態に係る泡吐出ヘッド３００は、以下に説明する点で、上記の第１の実施形態に係る泡吐出ヘッド３００（図３、図４、図７）と相違しており、その他の点では、上記の第１の実施形態に係る泡吐出ヘッド３００と同様に構成されている。
【０１０５】
図２４、図２５（ａ）、図２５（ｂ）及び図２５（ｃ）のいずれかに示すように、本実施形態に係る泡吐出ヘッド３００の第１ヘッド部材７０は、筒部７１と、筒部７１の上端部に設けられている台状部７７と、台状部７７の周縁部から上方に起立している環状壁７５と、台状部７７から下方に延びていて筒部７１の上部７１ａの周囲に配置されている外筒部７６と、を備えている。ここでいう下方は、泡吐出容器１００の底部１４が載置面に接触して泡吐出容器１００が自立する状態での重力方向である。筒部７１の上端部には一次吐出口７３が形成されている。台状部７７の上面は平坦に形成されている。
【０１０６】
また、本実施形態に係る泡吐出ヘッド３００の第２ヘッド部材８０の押圧部８５は、板状部８２ａの上面の周方向において間欠的に（例えば等角度間隔に）配置されている複数（例えば４つ）の柱状部８５１と、これら柱状部８５１の上側に配置されている環状部８５２と、を含んで構成されている。環状部８５２は、水平に配置されており、各柱状部８５１の上端どうしを相互に連結している。
【０１０７】
また、本実施形態に係る泡吐出ヘッド３００の第２ヘッド部材８０の孔８６の下端の高さ位置は、ノズル形成壁８４の上端の高さ位置よりも低く設定されている（図２５（ｂ）、図２５（ｃ））。よって、シャワーの水（湯）などがかかる環境下に泡吐出容器１００が配置されていても、板状部８２ａの上面上に溜まった水が、ノズル形成壁８４に流入することなく、孔８６を介して外部にスムーズに排出される。
より詳細には、本実施形態の場合、孔８６の下端の高さ位置が、板状部８２ａの上面の高さ位置と等しく設定されている（図２５（ｂ）、図２５（ｃ））。これにより、シャワーの水（湯）などがかかる環境下に泡吐出容器１００が配置されていても、水が孔８６を介して外部にスムーズに排出されるため、板状部８２ａの上面上に水が溜まってしまうことを抑制できる。
【０１０８】
また、本実施形態の場合、板状部８２ａの上面から環状部８５２の上端位置までの高低差を高さＨ１（図２５（ｂ））とすると、孔８６の高さ寸法Ｈ２（図２５（ｂ））は、例えば、高さＨ１の５０％以上となっていることが好ましく、６０％以上の範囲に設定されていることが更に好ましい。これによって、より好適に水が孔８６を介して外部にスムーズに排出されるようにできる。
【０１０９】
また、本実施形態でも、第７の実施形態と同様に、押圧部８５の周方向において孔８６が配置されている領域の延べ長さが、押圧部８５の周長の５０％以上の範囲に設定されていることが好ましく、６０％以上の範囲に設定されていることが更に好ましい。これによって、より好適に水が孔８６を介して外部にスムーズに排出されるようにできる。また、押圧部８５の構造的強度を十分に確保する観点から、孔８６が配置されている領域の延べ長さが、押圧部８５の周長の９５％以下の範囲に設定されていることが好ましい。
【０１１０】
本実施形態の場合も、第８の実施形態と同様に、泡吐出ヘッド３００に対する押下操作は、図２３に示すように、環状部８５２を被吐出体４０に当てた状態で、容器本体１０を下方に押し下げることにより行われる。押圧操作により、泡は、ノズル形成壁８４を通過することによって所定の目的形状に整形され、被吐出体４０に付着する。すなわち吐出口８３から飛び出した泡は被吐出体４０に転写され、図２６に示すように、所定の目的形状に整形された泡である泡造形物１５０が被吐出体４０に付着した状態となる。
【０１１１】
本実施形態の場合、図２６に示すように、泡造形物１５０は、花を模した形状である。
図２４（ａ）及び図２４（ｂ）に示すように、吐出口８３及びノズル形成壁８４は、このような形状の泡造形物１５０に対応するものとなっている。
吐出口８３は、複数（例えば５つ）の開口８３１を含んで構成されている。
泡吐出ヘッド３００の第２ヘッド部材８０は、各開口８３１に対応する複数のノズル形成壁８４を有している。
各ノズル形成壁８４の開口８３１は、花びらを模した平面形状となっており、これら開口８３１が放射状に配置されている。
図２６に示すように、泡造形物１５０は、各開口８３１から吐出された泡が一体化して、花を模した形状となる。
【０１１２】
なお、第９の実施形態で説明した構造の泡吐出ヘッド３００は、第１の実施形態に係る泡吐出容器１００と同様に被吐出体４０で泡吐出ヘッド３００を押し下げるタイプの泡吐出容器１００にも適用できることは勿論である。
【０１１３】
〔第１０の実施形態〕
次に、図２７から図２９を用いて第１０の実施形態に係る泡吐出容器１００、泡吐出キャップ２００及び泡吐出ヘッド３００について説明する。なお、図２７に示す断面図では、泡吐出キャップ２００において破断線Ｈ５と破断線Ｈ６との間の部分については正面構造を示している。
【０１１４】
本実施形態の場合も、第８及び第９の実施形態と同様に、使用者は、容器本体１０を把持して泡吐出容器１００を用いることができる。
すなわち、泡吐出容器１００は、液剤１０１を貯留する容器本体１０と、容器本体１０に装着され押圧操作に応じて泡を吐出する泡吐出キャップ２００と、を備え、泡吐出キャップ２００は、吐出口８３と押圧部８５とを備えているとともに、容器本体１０が押圧部８５に対して相対的に押圧方向に移動することにより液剤１０１を泡に生成して吐出口８３から泡を吐出させるポンプ部１２０を備えており、容器本体１０は、押圧操作の際に使用者に把持及び押圧される押圧部である。本実施形態に係る泡吐出容器１００の泡吐出ヘッド３００に対する押圧操作は、押圧部８５を被吐出体４０に当てた状態で、容器本体１０を被吐出体４０に向けた方向に押圧することにより行われる。
【０１１５】
また、本実施形態の場合も、第８及び第９の実施形態と同様に、泡吐出容器１００は、吐出口８３を下向きにして押圧部８５（の環状部８５２）が載置面に接触する状態で自立可能である。ここでいう下方は、重力方向である。
【０１１６】
また、本実施形態の場合も、第８及び第９の実施形態と同様に、泡吐出キャップ２００は、容器本体１０内の液剤１０１をポンプ部１２０に供給するディップチューブ１３０を備え、吐出口８３が下向きの状態でディップチューブ１３０の先端１３１の吸入口が容器本体１０内の液剤１０１の液面よりも下に位置する。ここでいう下方は、重力方向である。
【０１１７】
本実施形態に係る泡吐出容器１００は、以下に説明する点で、上記の第９の実施形態に係る泡吐出容器１００と相違しており、その他の点では、上記の第９の実施形態に係る泡吐出容器１００と同様に構成されている。
【０１１８】
また、本実施形態の場合、泡吐出容器１００において吐出口８３とは反対側の部分（本実施形態では頂部１５）は、載置面に載置されない部分、すなわち非載置部として形成されている。図２７に示すように押圧部８５が載置面に接触する状態で泡吐出容器１００が自立したときの容器本体１０の頂部１５は、当該容器本体１０の外方に向けて凸の形状に形成されており、好ましくは当該容器本体１０の外方に向けて凸の曲面形状に形成されており、更に好ましくは上方に向けて凸の半球状の形状に形成されている。
このため、本実施形態では、泡吐出容器１００において吐出口８３とは反対側の部分である頂部１５は、当該頂部１５が接地する姿勢では泡吐出容器１００が自立不能な非載置部となっている。
頂部１５が半球状であるため、例えば、頂部１５を手で包み込むようにして容器本体１０を把持し、容器本体１０を操作部として押圧部８５に対して相対的に押圧方向に移動させる操作を好適に行うことができる。なお、頂部１５の形状は半球状に限られず、傾斜面を具備する形状、円錐形状、四角錐形状等でもよい。
【０１１９】
以下、本実施形態における泡吐出キャップ２００の構造について、より詳細に説明する。
【０１２０】
図２７に示すように、本実施形態の場合も、泡吐出キャップ２００は、キャップ９０と泡吐出ヘッド３００とを備えて構成されている。
キャップ９０の構造は上記の各実施形態と同様である。ただし、本実施形態の場合、泡吐出容器１００は、通常の設置状態で図２７に示すように吐出口８３が下向きの姿勢となるため、上記の各実施形態と共通の構成（キャップ９０等）についても、各構成要素どうしの位置関係は、上記の各実施形態とは上下が逆転している。
図２８に示すように、泡吐出ヘッド３００は、第１ヘッド部材７０と第２ヘッド部材８０とを備えて構成されている。
【０１２１】
図２７及び図２８に示すように、第１ヘッド部材７０は、第９の実施形態と同様に、筒部７１、台状部７７、一次吐出口７３及び外筒部７６を備えている。ただし、本実施形態の場合、第１ヘッド部材７０は、環状壁７５（図２３）を備えていない。
第１ヘッド部材７０とキャップ９０との連結構造は、上記の第９の実施形態と同様である。
本実施形態の場合、第１ヘッド部材７０は、台状部７７の外周部から周囲に放射状に延出している複数（一例として、３つ）の連結部７０２と、これら連結部７０２を介して台状部７７と連結されている第２外筒部７０１と、を備えている。
第２外筒部７０１は、筒状（例えば略円筒状）に形成されており、外筒部７６の周囲と、起立筒部１１３の周囲と、装着部１１１の少なくとも下部の周囲と、を覆っている。
第２外筒部７０１は、台状部７７及び連結部７０２よりも上方に位置する上部７０１ａと、台状部７７及び連結部７０２よりも下方に位置する下部７０１ｂと、を含んでいる。
なお、隣り合う連結部７０２どうしの間隙は、下部７０１ｂの内部空間と上部７０１ａの内部空間とを相互に連通させる開口７０５となっている。
【０１２２】
図２８に示すように、第２ヘッド部材８０は、第９の実施形態と同様に、対向部８２（板状部８２ａ、ノズル形成壁８４、吐出口８３）と、包囲壁８７と、を備えている。
本実施形態の場合、包囲壁８７は、例えば、傾斜しており、上方に向けて縮径している。
本実施形態の場合、第２ヘッド部材８０は、突起部８８（図２３）と、環状壁８１（図２３）と、押圧部８５に形成された孔８６（図２３）と、を備えていない。
本実施形態の場合、第２ヘッド部材８０は、対向部８２の板状部８２ａの外周部から周囲に放射状に延出している複数（一例として、３つ）の連結部８５３を備えており、板状部８２ａと押圧部８５とは、連結部８５３を介して相互に連結されている。
押圧部８５は、筒状（例えば略円筒状）に形成されており、平面視において対向部８２の周囲を囲む配置となっている。
なお、各連結部８５３は、例えば、対向部８２側（内側）から押圧部８５側（外側）に向けて下り傾斜する姿勢で配置されている。つまり、連結部８５３の基端（連結部８５３と板状部８２ａとの接続端）よりも連結部８５３の先端（連結部８５３と押圧部８５との接続端）の方が低い位置に配置されている。
そして、押圧部８５は、連結部８５３の先端よりも上側に位置する部分と、連結部８５３の先端よりも下側に位置する部分とを含んでいる。
隣り合う連結部８５３どうしの間隙は、押圧部８５の内部空間のうち連結部８５３よりも下側の領域と押圧部８５又は第２外筒部７０１の内部空間のうち連結部８５３よりも上側の領域とを相互に連通させる開口８５４となっている。
【０１２３】
また、本実施形態の場合、図２７に示すように押圧部８５が載置面に接触する状態で泡吐出容器１００が自立したときの泡吐出キャップ２００の少なくとも下部は、裾広がりの形状に形成されている。また、泡吐出キャップ２００は、押圧方向に向けて拡径している。
このため、泡吐出容器１００がより安定的に図２７の姿勢で自立することができるようになっている。
より詳細には、第２外筒部７０１の少なくとも下部（例えば、上部７０１ａの下部と下部７０１ｂとを含む部分）は、裾広がりの形状となっている。すなわち、第２外筒部７０１の少なくとも下部は、下方に向けて徐々に拡径している。
更に、押圧部８５も、裾広がりの形状となっている（下方（押圧方向）に向けて徐々に拡径している）。
そして、泡吐出キャップ２００の外周面は、第２外筒部７０１から押圧部８５にかけて連続的な曲面形状となっており、第２外筒部７０１の下部と押圧部８５とを含む部分が裾広がりとなっている。
【０１２４】
図２７に示すように、第２外筒部７０１の下端縁と押圧部８５の上端縁とが嵌合部４１０において相互に嵌合することで、第１ヘッド部材７０と第２ヘッド部材８０とが相互に連結されている。
第１ヘッド部材７０と第２ヘッド部材８０とが相互に連結された状態では、包囲壁８７の上端が台状部７７の下面に対して当接又は近接しており、板状部８２ａと台状部７７との間には、包囲壁８７によって囲まれた前室３０が形成されている。
【０１２５】
図２８に示すように、第２外筒部７０１の下端縁には、当該下端縁の周方向における全域に亘って連続的に係合部７０４が形成されており、押圧部８５の上端縁には、当該上端縁の周方向における全域に亘って連続的に係合部８５６が形成されている。
係合部７０４及び係合部８５６には、それぞれ段差が形成されており、係合部７０４の段差と係合部８５６の段差とが互いに係合することで、係合部７０４と係合部８５６とが嵌合する。
係合部７０４及び係合部８５６とは、それぞれ上下方向に波打つ波形に形成されている。係合部７０４と係合部８５６とが嵌合した状態において、係合部７０４の波形形状と係合部８５６の波形形状とが第２外筒部７０１の下端縁及び押圧部８５の上端縁の周方向に亘り連続的に隙間無く密着するようになっている。係合部７０４と係合部８５６とが密着した部分は、図２９のように波形に形成されている。また、第２外筒部７０１の上端部７０１ｃも、図２９に示すように波形に形成されている。第２外筒部７０１の上端部７０１ｃの波形形状は、係合部７０４及び係合部８５６の波形形状と、凹凸の位置が一致した形状となっている。
また、第２ヘッド部材８０が周方向において第１ヘッド部材７０に対して相対的に回転することが規制されている。
【０１２６】
連結部７０２と連結部８５３とは互いに同様の平面形状に形成されており、且つ、第１ヘッド部材７０と第２ヘッド部材８０とが連結された状態において、連結部７０２と連結部８５３とが互いに上下に重なるようになっている。このため、開口８５４と開口７０５とは互いに同様の平面形状であり、且つ、第１ヘッド部材７０と第２ヘッド部材８０とが連結された状態において、開口８５４と開口７０５とが互いに上下に重なるようになっている。
【０１２７】
ここで、押圧部８５の内部空間において連結部８５３よりも下側の領域は、複数の開口８５４を介して、押圧部８５及び第２外筒部７０１の内部空間において連結部８５３よりも上側の領域と連通している。
また、押圧部８５及び第２外筒部７０１の内部空間において連結部８５３よりも上側の領域は、複数の開口７０５を介して、第２外筒部７０１の内部空間において連結部７０２よりも上側の領域と連通している。
更に、第２外筒部７０１の内部空間において連結部７０２よりも上側の領域は、第２外筒部７０１の上端部７０１ｃの内周面と装着部１１１の外周面との間隙７０３を介して、泡吐出容器１００の外部空間と連通している。装着部１１１の外周面と第２外筒部７０１の上端部７０１ｃの内周面とは互いに近接している。
なお、本実施形態の場合も、容器本体１０は円筒状の口頸部を有しており、装着部１１１は口頸部に対して螺合することによって、該口頸部の周囲に装着されている。
【０１２８】
このように、容器本体１０は、口頸部を有し、泡吐出キャップ２００は、口頸部を囲む状態で当該口頸部に装着されている筒状の装着部１１１と、押圧部８５から容器本体１０側に向けて延びていて装着部１１１又は容器本体１０の周囲を覆っている筒状部（第２外筒部７０１）と、を有する。押圧部８５は、吐出口８３の周囲を包囲しているとともに吐出口８３よりも上記反対方向（本実施形態では下方）に向けて起立している環状の起立壁である。押圧部８５の内部空間が、筒状部（第２外筒部７０１）の内部空間と、筒状部の内周面と装着部１１１の外周面との間隙７０３とを介して、泡吐出容器１００の外部空間と連通している。
このため、吐出口８３から泡が吐出される際に、押圧部８５の内部空間の雰囲気（空気）を、筒状部（第２外筒部７０１）の内部空間と、筒状部の内周面と装着部１１１の外周面との間隙７０３とを介して、泡吐出容器１００の外部空間に容易に逃がすことができる。
よって、吐出口８３からよりスムーズに泡を吐出させることができる。
また、泡吐出キャップ２００は、筒状部（第２外筒部７０１）を具備することにより、泡吐出容器１００の自立状態が安定するとともに、意匠性に優れたものとなる。
【０１２９】
なお、ここでは、間隙７０３が筒状部（第２外筒部７０１）の内周面と装着部１１１の外周面との間に形成されている例を説明したが、本発明は、この例に限らず、間隙７０３は、筒状部（第２外筒部７０１）の内周面と容器本体１０の胴部１１の外周面との間に形成されていてもよいし、容器本体１０の胴部１１及び装着部１１１の双方の外周面と筒状部（第２外筒部７０１）の内周面との間に形成されていてもよい。
【０１３０】
なお、本実施形態の場合、間隙７０３は、容器本体１０が押圧方向に操作される際に装着部１１１と第２外筒部７０１とが互いにガイドされるほどには狭くは無い。
ただし、本発明は、この例に限らず、間隙７０３がより狭く形成されており、容器本体１０が押圧方向に操作される際に装着部１１１と第２外筒部７０１とが互いにガイドされるようになっていてもよい。
【０１３１】
すなわち、泡吐出容器１００は、容器本体１０が口頸部を有し、泡吐出キャップ２００は、口頸部を囲む状態で当該口頸部に装着されている筒状の装着部１１１と、押圧部８５から容器本体１０側に向けて延びていて装着部１１１と同軸に配置されている筒状部（第２外筒部７０１）とを有し、上記押圧操作の際に、筒状部と装着部１１１とが互いにガイドするように構成されていてもよい。
この場合、例えば、外筒部７６の内周面及び起立筒部１１３の外周面よりも大径の装着部１１１の外周面と第２外筒部７０１の外周面とにより容器本体１０と泡吐出ヘッド３００との相対移動がガイドされるため、押圧操作の際に容器本体１０をより安定的に押し込むことが可能となる。
また、筒状部（第２外筒部７０１）は、容器本体１０と同軸に容器本体１０の周囲に配置されていて、押圧操作の際に、筒状部と容器本体１０とが互いにガイドされてもよい。また、押圧操作の際に、筒状部と容器本体１０とが互いにガイドされるとともに、筒状部と装着部１１１とが互いにガイドされてもよい。
【０１３２】
〔第１１の実施形態〕
次に、図３０から図３２を用いて第１１の実施形態に係る液剤吐出容器５００、液剤吐出キャップ６００及び液剤吐出ヘッド７００について説明する。なお、図３０に示す断面図では、容器本体１０及び液剤吐出キャップ６００において破断線Ｈ５と破断線Ｈ６との間の部分については正面構造を示している。
【０１３３】
上記の各実施形態では、容器から吐出されるものが泡であったのに対し、本実施形態では、容器から吐出されるものが、非泡状の液剤１０１である。すなわち、容器本体１０内の液剤１０１がそのまま被吐出体４０上に吐出される。
【０１３４】
また、本実施形態の場合、液剤吐出容器５００は、通常の設置状態で図３０に示すように吐出口８３が下向きの姿勢となる。ここでいう下向きは、重力方向である。このため、上記の第１から第９の実施形態と共通の構成について、各構成要素どうしの位置関係は、第１から第９の実施形態とは上下が逆転している。
【０１３５】
本実施形態に係る液剤吐出容器５００は、押圧操作に応じて液剤を吐出する液剤吐出容器５００であって、液剤１０１を貯留する容器本体１０と、容器本体１０に装着され押圧操作に応じて液剤１０１を吐出する液剤吐出キャップ６００と、を備えている。
液剤吐出キャップ６００は、押圧操作による押圧方向に対する反対方向に開口していて液剤１０１を吐出する吐出口８３と、液剤１０１を受け取る被吐出体４０と吐出口８３との距離を一定に維持する押圧部８５と、容器本体１０が押圧部８５に対して相対的に上記押圧方向に移動することにより吐出口８３から液剤１０１を吐出させるポンプ部１２０と、を備えている。
そして、容器本体１０は、押圧操作の際に使用者に把持及び押圧される操作部である。
本実施形態の場合における各種の定義のうち、上記の各実施形態と同様のものについては、説明を省略する。
【０１３６】
使用者が容器本体１０を把持し、押圧部８５を被吐出体４０の上面に押し付けた状態で、容器本体１０を操作部として押圧部８５に対して相対的に下方に移動させる操作を行うことにより、吐出口８３から被吐出体４０上に液剤１０１を吐出させることができる。具体的には、この操作は、押圧部８５を被吐出体４０に当てた状態で、容器本体１０を被吐出体４０に向けた方向に押圧することにより行われる。本実施形態においても、押圧操作の開始段階から終了段階に亘り、被吐出体４０と吐出口８３とが離間した状態に維持される。
【０１３７】
本実施形態の場合、液剤吐出容器５００は、液剤１０１を液状のままで吐出するため、ポンプ部１２０は、上記の各実施形態で説明した手押し式の泡ポンプとは異なり、手押し式の液ポンプである。また、液剤吐出容器５００は、フォーマー機構２０を備えていない。
液剤吐出キャップ６００は、ポンプ部１２０を備えるキャップ９０と、キャップ９０に装着されている液剤吐出ヘッド７００と、を備えている。
液剤吐出ヘッド７００が容器本体１０側に押し込まれることにより、ポンプ部１２０は、液剤１０１を液状のまま吐出口８３から吐出させる。
なお、液ポンプ（ポンプ部１２０）の構造はよく知られており、本明細書では詳細な説明を省略する。
【０１３８】
本実施形態の場合も、液剤１０１を吐出する際の吐出口８３の向きは、下向きに限らない。液剤１０１の粘度によっては、吐出口８３を上向きや、上でも下でもない他の向き（例えば横向き（水平な向き））にして、液剤吐出容器５００を使用し、吐出口８３から吐出された液剤１０１を、例えば、下向きの面や、載置面や床に対して鉛直な壁面などに付着させることも可能である。
【０１３９】
本実施形態では、液剤１０１として、コンディショナーを代表例として挙げることができるが、これに限られず、洗浄剤、スキンケアクリームなどの美容剤、ジェル除菌剤、トイレ用のジェルスタンプ、毛髪用化粧料、各種食品（例えば、マヨネーズやマーガリンのような食用油脂や、クリームなど）など、液状（流動体の状態）で用いられる種々のものを例示することができる。
【０１４０】
キャップ９０は、例えば、容器本体１０の口頸部に装着されている装着部１１１と、装着部１１１の下側に装着されている環状部４２１と、装着部１１１及び環状部４２１を貫通して下方に突出している起立筒部１１３と、起立筒部１１３から更に下方に突出している筒状部４２２と、を備えている。
筒状部４２２の下端部に液剤吐出ヘッド７００が装着されている。
【０１４１】
図３０に示すように、本実施形態の場合、液剤吐出容器５００は、いわゆるデラミ（デラミネーション）容器であり、容器本体１０は、硬質合成樹脂により構成されている外殻１６と、外殻１６の内側に収容されている内袋１７と、を備えて構成されている。外殻１６が、胴部１１、肩部１２、頂部１５及び口頸部を備えている。液剤１０１は、内袋１７の内部に収容されている。ディップチューブ１３０の先端１３１は、内袋１７の内部に位置している。
更に、容器本体１０は、外殻１６の内周面と内袋１７の外面との間に外気を導入するための導入部１８を備えている。
液剤吐出容器５００から液剤１０１が吐出されて内袋１７内に収容されている液剤１０１が減少すると、内袋１７が萎んで該内袋１７から外殻１６から剥離するとともに、導入部１８を介して、外殻１６の内周面と内袋１７の外面との間に外気が導入される。
内袋１７内への外気の流入は実質的に防止されている。
【０１４２】
図３１に示すように、液剤吐出ヘッド７００は、例えば、第１ヘッド部材４４０、第２ヘッド部材８０及び第３ヘッド部材４３０の３つの部材を相互に組み付けることにより構成されている。
【０１４３】
第１ヘッド部材４４０は、平面視円形の平板状の部分である板状部４４１と、板状部４４１の中央部から上方に向けて起立している内筒部４４２と、内筒部４４２の周囲に該内筒部４４２と同軸に配置されていて板状部４４１の中央部から上方に向けて起立している外筒部４４３と、を備えている。
第１ヘッド部材４４０の中央部には、内筒部４４２と板状部４４１とを貫通する孔が形成されており、当該孔の下端が一次吐出口７３となっている。
【０１４４】
第２ヘッド部材８０は、板状部８２ａを有する対向部８２を備えている。
対向部８２は、更に、吐出口８３を有するノズル形成壁８４を備えている。
第２ヘッド部材８０は、更に、板状部８２ａの周縁部から下方に延びている押圧部８５と、板状部８２ａの周縁部から上方に起立している平面視円形の嵌入壁８５７と、嵌入壁８５７の内側において板状部８２ａの上面から上方に起立している包囲壁８７と、を備えている。包囲壁８７によって囲まれている領域が前室３０である。液剤１０１が一次吐出口７３を介して前室３０に吐出されて該前室３０に広がり、吐出口８３から吐出されるようになっている。平面視において、包囲壁８７の内側の領域に、吐出口８３が配置されている。押圧部８５には、１つ又は複数（例えば図３２に示すように２つ）の孔８６が形成されている。
【０１４５】
なお、吐出口８３は、複数の開口を含んで構成されている。また、各開口は、非円形形状となっている。
一例として、図３２に示すように、吐出口８３は、放射状に配列された複数の開口により構成されており、吐出口８３から吐出された液剤１０１の形状が花びらを模した形状となるようになっている。
ただし、吐出口８３の形状はその他の形状でもよい。
また、吐出口８３は、単一の開口により構成されていて、当該開口の形状が非円形形状であってもよく、この場合も、吐出口８３より吐出された液剤１０１が、所定の目的形状に形成されるようにできる。
【０１４６】
このように、本実施形態の場合、吐出口８３より吐出された液剤１０１は、所定の目的形状に形成されるようになっている。本実施形態に係る液剤吐出容器５００においても、第１の実施形態と同様に、吐出口８３は、液剤を所定の目的形状に整形して吐出する。吐出された液剤１０１は、所定の目的形状に形成された液剤造形物である。
ただし、本発明は、この例に限らず、吐出口８３より吐出された液剤１０１が円形形状となるようになっていてもよいし、その他の不特定の形状になるようになっていてもよい。
【０１４７】
また、容器本体１０内の液剤１０１の粘度は、２０℃において１０００ｍＰａ・ｓ以上１０００００ｍＰａ・ｓ以下であることが好ましい。２０℃における液剤１０１の粘度は、より好ましくは１００００ｍＰａ・ｓ以上８００００ｍＰａ・ｓ以下であり、さらに好ましくは３００００ｍＰａ・ｓ以上６００００ｍＰａ・ｓ以下である。液剤１０１の粘度はＢ型粘度計により測定する。Ｂ型粘度計の測定は、例えば、液剤１０１の剤型及び粘度に応じて適切なローターまたはスピンドルを選択し、それに応じた回転数（５０〜６０回転／分）の回転数でローターまたはスピンドルを回転させ、回転時間が６０秒となった時点の粘度を測定することができる。
液剤１０１の粘度が２０℃において１０００ｍＰａ・ｓ以上１０００００ｍＰａ・ｓ以下であることによって、吐出口８３より吐出された液剤１０１を好適に所定の目的形状に形成することができる。
【０１４８】
第３ヘッド部材４３０は、筒状（例えば略円筒状）の筒状部４３１と、筒状部４３１の内周面から内向きに張り出している環状の内フランジ部４３２と、を備えている。内フランジ部４３２には開口４３２ａが形成されている。内フランジ部４３２は、筒状部４３１の下端から上方に離間した位置に配置されている。
【０１４９】
図３０に示すように、第３ヘッド部材４３０の筒状部４３１において内フランジ部４３２よりも下側の部分に第１ヘッド部材４４０の板状部４４１と第２ヘッド部材８０の嵌入壁８５７とをこの順に嵌入することによって、第３ヘッド部材４３０に対して第１ヘッド部材４４０及び第２ヘッド部材８０が組み付けられ、液剤吐出ヘッド７００が構成されている。
更に、第１ヘッド部材４４０の内筒部４４２の外周面と外筒部４４３の内周面との間の間隙に、キャップ９０の筒状部４２２の下端部が圧入されることで、第１ヘッド部材４４０、ひいては液剤吐出ヘッド７００の全体がキャップ９０に固定されている。
【０１５０】
本実施形態に係る液剤吐出容器５００の外形は、概ね、上記の第１０の実施形態に係る泡吐出容器１００の外形と同様である。
【０１５１】
すなわち、図３０に示すように、液剤吐出容器５００は、吐出口８３を下向きにして押圧部８５が載置面に接触する状態で自立可能である。
【０１５２】
また、押圧部８５が載置面に接触する状態で当該液剤吐出容器５００が自立したときの容器本体１０の頂部１５は、上方に向けて凸の半球状の形状に形成されている。
【０１５３】
また、押圧部８５が載置面に接触する状態で液剤吐出容器５００が自立したときの液剤吐出キャップ６００の少なくとも下部は、裾広がりの形状に形成されている。
より詳細には、筒状部４３１の少なくとも下部と、押圧部８５が、裾広がりの形状となっている（下方に向けて徐々に拡径している）。
そして、液剤吐出キャップ６００の外周面は、筒状部４３１から押圧部８５にかけて連続的な曲面形状となっており、筒状部４３１の下部と押圧部８５とを含む部分が裾広がりとなっている。
【０１５４】
本実施形態の場合、筒状部４３１の上端部４３１ａは、胴部１１の下端部の周囲を覆っている。筒状部４３１は容器本体１０の胴部１１と同軸に配置されている。また、上端部４３１ａの内周面と胴部１１の下端部の外周面との間隙７０３は、容器本体１０に対して押圧操作する際に筒状部４３１と胴部１１とが互いにガイドする程度に狭い間隙に設定されている。
このように、容器本体１０は、口頸部を有し、液剤吐出キャップ６００は、口頸部を囲む状態で当該口頸部に装着されている筒状の装着部１１１と、押圧部８５から容器本体１０側に向けて延びていて容器本体１０と同軸に配置されている筒状部４３１と、を有し、上記押圧操作の際に、筒状部４３１と容器本体１０とが互いにガイドする。
ただし、本発明は、この例に限らず、筒状部４３１の上端部４３１ａが装着部１１１の周囲を覆っていて且つ上端部４３１ａが装着部１１１と同軸に配置されていて、上記押圧操作の際に筒状部４３１と装着部１１１とが互いにガイドするようになっていてもよい。
また、筒状部４３１の上端部４３１ａが装着部１１１及び胴部１１の下端部の周囲を覆っていて且つ装着部１１１及び胴部１１の下端部と同軸に配置されていて、上記押圧操作の際に筒状部４３１と装着部１１１及び容器本体１０とが互いにガイドするようになっていてもよい。
また、液剤吐出ヘッド７００は、第３ヘッド部材４３０を具備していなくてもよい。すなわち、液剤吐出ヘッド７００は、第１ヘッド部材４４０と第２ヘッド部材８０とを相互に組み付けることにより構成されていてもよい。
【０１５５】
また、本実施形態でも、第１０の実施形態と同様に、間隙７０３を介して空気を液剤吐出容器５００の外部に逃がすことができるようになっていてもよい。
すなわち、容器本体１０は、口頸部を有し、液剤吐出キャップ６００は、口頸部を囲む状態で当該口頸部に装着されている筒状の装着部１１１と、押圧部８５から容器本体１０側に向けて延びていて装着部１１１又は容器本体１０の周囲を覆っている筒状部４３１と、を有し、押圧部８５は、吐出口８３の周囲を包囲しているとともに吐出口８３よりも上記反対方向（本実施形態では下方）に向けて起立している環状の起立壁であり、押圧部８５の内部空間が、筒状部４３１の内部空間と、筒状部４３１の内周面と装着部１１１又は容器本体１０の外周面との間隙７０３と、を介して、液剤吐出容器５００の外部空間と連通していてもよい。
このような構成を実現するためには、例えば、板状部８２ａと、板状部４４１に、それぞれ上下に貫通する孔を形成し、間隙７０３の大きさを十分に大きくするとよい。
このような構成により、吐出口８３から液剤１０１が吐出される際に、押圧部８５の内部空間の雰囲気（空気）を、筒状部４３１の内部空間と間隙７０３とを介して、液剤吐出容器５００の外部空間に容易に逃がすことができる。
なお、この場合、押圧部８５には孔８６が形成されていなくてもよい。
【０１５６】
また、上記の第１１の実施形態では、液剤吐出容器５００がデラミ容器である例を説明したが、液剤吐出容器５００は、単層構造の容器本体１０を有する容器であってもよい。
この場合に、ディップチューブ１３０の形状は、第８から第１０の実施形態と同様の屈曲形状となっていて、先端１３１が胴部１１の下端部付近に位置していてもよい。これにより、吐出口８３を下向きにした状態で先端１３１が液剤１０１に浸るようにできる。
すなわち、液剤吐出キャップ６００は、容器本体１０内の液剤１０１をポンプ部１２０に供給するディップチューブ１３０を備え、吐出口８３が下向きの状態でディップチューブ１３０の先端１３１の吸入口が容器本体１０内の液剤１０１の液面よりも下に位置するようになっている構造を採用することができる。
【０１５７】
また、上記の第１１の実施形態では、液剤吐出容器５００は、周知のポップル容器であってもよい。ポップル容器とはエアレスポンプを具備する容器であり、保形性を有する容器本体１０の内部に、上下に摺動可能に中皿が設けられている。この場合、中皿よりも上方の領域に液剤１０１が収容される。ポップル容器は、液剤１０１が高粘度である場合に特に好適に用いられる。容器本体１０内の液剤１０１が減少して容器本体１０の内圧が低下すると、中皿が高粘度の液剤１０１により引っ張られて口頸部側に移動する。
【０１５８】
本発明は上述の実施形態に限定されるものではなく、本発明の目的が達成される限りにおける種々の変形、改良等の態様も含む。
【０１５９】
例えば、上記の各実施形態では、押圧部８５が環状（ここで言う環状は、円環状に限らず、例えば、四角の環状や三角の環状などの多角環状の形状なども含まれる）である例を説明したが、本発明は、この例に限らず、押圧部８５は、例えば、吐出口の周囲に立設された１つ又は複数の棒状体などでもよい。
【０１６０】
また、上記の第１〜第６実施形態では、押圧操作による押圧方向（泡吐出ヘッドの押圧方向）が下方である例を説明したが、押圧操作による押圧方向は、特に限定されない。例えば、押圧操作による押圧方向が水平方向の泡吐出容器を壁に設置することなどが可能である。
【０１６１】
また、上記の第１〜第１０実施形態では、泡吐出容器がフォーマー機構２０を用いたポンプ容器である例を説明したが、本発明は、この例に限らず、泡吐出容器は、圧縮ガスとともに液剤が容器本体に充填されたエアロゾル容器であってもよい。この場合、エアロゾル容器は、１回の吐出操作によって定量の泡を吐出するタイプのものであることが好ましい。
【０１６２】
また、上記においては、押圧部８５の内側の領域と外側の領域とを相互に連通させる孔８６が押圧部８５に形成されている例を説明したが、孔８６は、その他の部位に形成されていてもよい。
例えば、孔８６は、板状部８２ａにおいて平面視にて包囲壁８７の外方の領域（泡が立ち入らない領域）と、一次板状部７４において平面視にて包囲壁８７の外方の領域又は環状壁８１と、に形成されていてもよい。また、板状部８２ａ、１８２は、曲面状に形成されていてもよい。
【０１６３】
また、上記においては、泡吐出容器、泡吐出キャップ及び泡吐出ヘッドが突起部８８又は阻害誘導壁１８０の一方を備える例を説明したが、泡吐出容器、泡吐出キャップ及び泡吐出ヘッドは、突起部８８及び阻害誘導壁１８０の双方を備えていてもよい。
【０１６４】
また、一次吐出口から吐出口に泡が均等に流れるように、吐出口の形状および配置が設定されている場合には、泡吐出容器、泡吐出キャップ及び泡吐出ヘッドは突起部８８を具備していなくてもよい。
【０１６５】
また、上記の第１〜第１０の実施形態に係る泡吐出容器１００の容器本体１０も、第１１の実施形態に係る液剤吐出容器５００の容器本体１０と同様に、デラミ容器であってもよい。
【０１６６】
また、上記の実施形態は、内容が相反しない範囲で組み合わせることができる。
【０１６７】
上記実施形態は、以下の技術思想を包含する。
＜１＞押圧操作に応じて泡を吐出する泡吐出容器であって、前記押圧操作の操作方向に対する反対方向に開口していて、前記泡を吐出する吐出口と、前記泡を受け取る被吐出体と前記吐出口との距離を一定に維持する押圧部と、を備える泡吐出容器。
＜２＞前記吐出口は、前記反対方向に向けて起立するノズル形成壁の先端に形成され、前記押圧部は、前記反対方向に向けて前記吐出口よりも延出している＜１＞に記載の泡吐出容器。
＜３＞前記押圧部は、前記吐出口の周囲を包囲し起立した壁状に形成されており、前記押圧部の内側の領域と外側の領域とを相互に連通させる孔又は切欠形状部を有する＜２＞に記載の泡吐出容器。
＜４＞前記泡を吐出する一次吐出口と、前記一次吐出口から吐出された前記泡が内部空間に広がる前室と、前記前室を間に挟んで前記一次吐出口と対向して配置されており、前記吐出口が形成されている対向部と、を備える＜１＞から＜３＞のいずれか一項に記載の泡吐出容器。
＜５＞前記泡を吐出する一次吐出口を有する一次板状部と、前記一次吐出口から吐出された前記泡が内部空間に広がる前室と、前記前室を間に挟んで前記一次吐出口と対向して配置されており、前記吐出口が形成されている対向部と、を備え、前記対向部は、前記前室を間に挟んで前記一次板状部と対向して配置されているとともに前記吐出口が形成された板状部を含んで構成され、前記前室は、前記一次板状部と前記板状部との間において起立している包囲壁によって囲まれた領域であり、当該泡吐出容器を前記操作方向に視たときに、前記押圧部の内側に前記包囲壁が収まっており、且つ、前記包囲壁の内側に前記吐出口及び前記一次吐出口が収まっている＜３＞に記載の泡吐出容器。
＜６＞当該泡吐出容器を前記操作方向に視たときに、前記対向部が前記一次吐出口の少なくとも一部分を覆っている＜４＞又は＜５＞に記載の泡吐出容器。
＜７＞前記対向部は、前記一次吐出口側に向けて突出している突起部を含んで構成され、当該泡吐出容器を前記操作方向に視たときに、前記突起部が前記一次吐出口の少なくとも一部分と重なっている＜６＞に記載の泡吐出容器。
＜８＞前記吐出口は、第１吐出領域と第２吐出領域とを含んで構成され、当該泡吐出容器は、前記一次吐出口から前記前室に吐出される前記泡が前記第１吐出領域へ流動することを阻害する阻害部と、前記一次吐出口から前記前室に吐出される前記泡を前記第２吐出領域へ誘導する誘導部と、の一方又は両方を備えている＜４＞から＜７＞のいずれか一項に記載の泡吐出容器。
＜９＞前記吐出口より吐出された前記泡は、所定の目的形状に形成されている＜１＞から＜８＞のいずれか一項に記載の泡吐出容器。
＜１０＞前記吐出口は、非円形形状であるか、又は、複数の開口を含んで構成されている＜１＞から＜９＞のいずれか一項に記載の泡吐出容器。
＜１１＞液剤を貯留する容器本体に装着して用いられ、押圧操作に応じて泡を吐出する泡吐出キャップであって、前記押圧操作の操作方向に対する反対方向に開口していて、前記泡を吐出する吐出口と、前記泡を受け取る被吐出体と前記吐出口との距離を一定に維持する押圧部と、を備える泡吐出キャップ。
＜１２＞液剤を貯留する容器本体に装着されるキャップに装着して用いられ、押圧操作に応じて泡を吐出する泡吐出ヘッドであって、前記押圧操作の操作方向に対する反対方向に開口していて、前記泡を吐出する吐出口と、前記泡を受け取る被吐出体と前記吐出口との距離を一定に維持する押圧部と、を備える泡吐出ヘッド。
＜１３＞前記吐出口は、当該吐出口と前記被吐出体との距離が所定距離となっている状態で前記泡を吐出した場合に前記泡が前記目的形状に整形されるような形状に形成されており、前記押圧部は、前記被吐出体と前記吐出口との距離を前記所定距離に維持する上記いずれか一項に記載の泡吐出容器。
【０１６８】
また、上記実施形態は、以下の技術思想を包含する。
〔１〕押圧操作に応じて泡を吐出する泡吐出容器であって、前記押圧操作による押圧方向に対する反対方向に開口していて、前記泡を吐出する吐出口と、前記泡を受け取る被吐出体と前記吐出口との距離を一定に維持する押圧部と、を備える泡吐出容器。
〔２〕前記吐出口は、前記反対方向に向けて起立するノズル形成壁の先端に形成され、前記押圧部は、前記反対方向に向けて前記吐出口よりも延出している〔１〕に記載の泡吐出容器。
〔３〕前記押圧部は、前記吐出口から外方向に離間した位置において起立している起立部を有しており、前記押圧部は、前記起立部と、当該押圧部の内側の領域と外側の領域とを相互に連通させる連通部と、を有する〔１〕又は〔２〕に記載の泡吐出容器。
〔４〕前記泡を吐出する一次吐出口と、前記一次吐出口から吐出された前記泡が内部空間に広がる前室と、前記前室を間に挟んで前記一次吐出口と対向して配置されており、前記吐出口が形成されている対向部と、を備える〔１〕から〔３〕のいずれか一項に記載の泡吐出容器。
〔５〕前記泡を吐出する一次吐出口を有する一次板状部と、前記一次吐出口から吐出された前記泡が内部空間に広がる前室と、前記前室を間に挟んで前記一次吐出口と対向して配置されており、前記吐出口が形成されている対向部と、を備え、前記対向部は、前記前室を間に挟んで前記一次板状部と対向して配置されているとともに前記吐出口が形成された板状部を含んで構成され、前記前室は、前記一次板状部と前記板状部との間において起立している包囲壁によって囲まれた領域であり、当該泡吐出容器を前記押圧方向に視たときに、前記押圧部の内側に前記包囲壁が収まっており、且つ、前記包囲壁の内側に前記吐出口及び前記一次吐出口が収まっている〔１〕から〔４〕のいずれか一項に記載の泡吐出容器。
〔６〕当該泡吐出容器を前記押圧方向に視たときに、前記対向部が前記一次吐出口の少なくとも一部分を覆っている〔４〕又は〔５〕に記載の泡吐出容器。
〔７〕前記対向部は、前記一次吐出口側に向けて突出している突起部を含んで構成され、当該泡吐出容器を前記押圧方向に視たときに、前記突起部が前記一次吐出口の少なくとも一部分と重なっている〔４〕から〔６〕のいずれか一項に記載の泡吐出容器。
〔８〕前記吐出口は、第１吐出領域と第２吐出領域とを含んで構成され、当該泡吐出容器は、前記一次吐出口から前記前室に吐出される前記泡が前記第１吐出領域へ流動することを阻害する阻害部と、前記一次吐出口から前記前室に吐出される前記泡を前記第２吐出領域へ誘導する誘導部と、の一方又は両方を備えている〔４〕から〔７〕のいずれか一項に記載の泡吐出容器。
〔９〕前記吐出口より吐出された前記泡は、所定の目的形状に形成されている〔１〕から〔８〕のいずれか一項に記載の泡吐出容器。
〔１０〕前記吐出口は、非円形形状であるか、又は、複数の開口を含んで構成されている〔１〕から〔９〕のいずれか一項に記載の泡吐出容器。
【０１６９】
〔１１〕液剤を貯留する容器本体と、前記容器本体に装着され、前記押圧操作に応じて前記泡を吐出する泡吐出キャップと、を備え、前記泡吐出キャップは、前記吐出口と前記押圧部とを備えているとともに、前記容器本体が前記押圧部に対して相対的に前記押圧方向に移動することにより前記液剤を前記泡に生成して前記吐出口から前記泡を吐出させるポンプ部を備えており、前記容器本体は、前記押圧操作の際に使用者に把持及び押圧される操作部である〔１〕から〔１０〕のいずれか一項に記載の泡吐出容器。
〔１２〕当該泡吐出容器は、前記吐出口を下向きにして前記押圧部が載置面に接触する状態で自立可能である〔１１〕に記載の泡吐出容器。
〔１３〕前記押圧部が載置面に接触する状態で当該泡吐出容器が自立したときの前記泡吐出キャップの少なくとも下部は、裾広がりの形状に形成されている〔１１〕又は〔１２〕に記載の泡吐出容器。
〔１４〕前記押圧部が載置面に接触する状態で当該泡吐出容器が自立したときの前記容器本体の頂部は、当該容器本体の外方に向けて凸の曲面形状に形成されている〔１１〕から〔１３〕のいずれか一項に記載の泡吐出容器。
〔１５〕当該泡吐出容器において前記吐出口とは反対側の部分は、当該部分が接地する姿勢では当該泡吐出容器が自立不能な非載置部となっている〔１〕から〔１４〕のいずれか一項に記載の泡吐出容器。
〔１６〕前記泡吐出キャップは、前記容器本体内の前記液剤を前記ポンプ部に供給するディップチューブを備え、前記吐出口が下向きの状態で前記ディップチューブの先端の吸入口が前記容器本体内の前記液剤の液面よりも下に位置する〔１１〕から〔１５〕のいずれか一項に記載の泡吐出容器。
〔１７〕前記容器本体は、口頸部を有し、前記泡吐出キャップは、前記口頸部を囲む状態で当該口頸部に装着されている筒状の装着部と、前記押圧部から前記容器本体側に向けて延びていて前記装着部又は前記容器本体の周囲を覆っている筒状部と、を有し、前記押圧部は、前記吐出口の周囲を包囲しているとともに前記吐出口よりも前記反対方向に向けて起立している環状の起立壁であり、前記押圧部の内部空間が、前記筒状部の内部空間と、前記筒状部の内周面と前記装着部又は前記容器本体の外周面との間隙と、を介して、当該泡吐出容器の外部空間と連通している〔１１〕から〔１６〕のいずれか一項に記載の泡吐出容器。
〔１８〕前記容器本体は、口頸部を有し、前記泡吐出キャップは、前記口頸部を囲む状態で当該口頸部に装着されている筒状の装着部と、前記押圧部から前記容器本体側に向けて延びていて前記装着部又は前記容器本体と同軸に配置されている筒状部と、を有し、前記押圧操作の際に、前記筒状部と前記装着部又は前記容器本体とが互いにガイドする〔１１〕から〔１７〕のいずれか一項に記載の泡吐出容器。
【０１７０】
〔１９〕前記吐出口は、当該吐出口と前記被吐出体との距離が所定距離となっている状態で前記泡を吐出した場合に前記泡が前記目的形状に整形されるような形状に形成されており、前記押圧部は、前記被吐出体と前記吐出口との距離を前記所定距離に維持する〔１〕から〔１８〕のいずれか一項に記載の泡吐出容器。
〔２０〕前記吐出口より吐出された前記泡は、所定の目的形状に形成された泡造形物である〔１〕から〔１９〕のいずれか一項に記載の泡吐出容器。
〔２１〕押圧操作の開始段階から終了段階に亘り、前記被吐出体と前記吐出口とが離間した状態に維持される〔１〕から〔２０〕のいずれか一項に記載の泡吐出容器。
〔２２〕前記泡となる液剤は、ハンドソープ、洗顔料、クレンジング剤、食器用洗剤、整髪料、ボディソープ、髭剃り用クリーム、肌用化粧料（ファンデーション、美容液等）、染毛剤、消毒薬、食品（パンなど）に塗布するクリーム、住居用洗剤、除菌剤、又は、衣料用洗剤（部分洗い用等）である〔１〕から〔２１〕のいずれか一項に記載の泡吐出容器。
〔２３〕前記泡となる液剤の粘度は、２０℃において１ｍＰａ・ｓ以上２０ｍＰａ・ｓ以下である〔１〕から〔２２〕のいずれか一項に記載の泡吐出容器。
〔２４〕液剤を貯留する容器本体と、前記容器本体に装着され、前記押圧操作に応じて前記泡を吐出する泡吐出キャップと、を備え、前記泡吐出キャップは、前記吐出口と前記押圧部とを備えている〔１〕から〔２３〕のいずれか一項に記載の泡吐出容器。
〔２５〕前記泡吐出容器は、手動式のポンプ容器（ポンプフォーマー）であり、液剤を泡化するフォーマー機構を備えている〔１〕から〔２４〕のいずれか一項に記載の泡吐出容器。
〔２６〕前記押圧部の上端面は、平面視円環状に形成されており、平坦且つ水平に配置されている〔１〕から〔２５〕のいずれか一項に記載の泡吐出容器。
〔２７〕平面視において、前記包囲壁の内周面が、前記吐出口（及び前記ノズル形成壁の内周面）を最短距離で取り囲んでいる〔１〕から〔２６〕のいずれか一項に記載の泡吐出容器。
〔２８〕平面視において、前記包囲壁の内周面（前記包囲壁の内周面の全体又は一部）は、前記ノズル形成壁の外周面よりも内側に形成されている〔１〕から〔２７〕のいずれか一項に記載の泡吐出容器。
〔２９〕前記押圧部の高さ寸法は、前記ノズル形成壁の高さ寸法の、２倍以上であり、好ましくは３倍以上であり、また、１０倍以下であり、好ましくは８倍以下である〔１〕から〔２８〕のいずれか一項に記載の泡吐出容器。
〔３０〕前記吐出口と前記押圧部との高低差は、５ｍｍ以上２０ｍｍ以下であり、好ましくは７ｍｍ以上１８ｍｍ以下である〔１〕から〔２９〕のいずれか一項に記載の泡吐出容器。
〔３１〕前記ノズル形成壁の高さ寸法は、１ｍｍ以上であり、好ましくは２ｍｍ以上であり、また、１０ｍｍ以下であり、好ましくは８ｍｍ以下である〔１〕から〔３０〕のいずれか一項に記載の泡吐出容器。
〔３２〕前記押圧部は、上端に形成された切欠形状部を有している〔１〕から〔３１〕のいずれか一項に記載の泡吐出容器。
〔３３〕液剤を泡化するフォーマー機構を備え、当該泡吐出容器は、前記フォーマー機構により生成された泡を、前記板状部及び前記吐出口形成壁によって絞り込んで、前記吐出口から吐出する〔１〕から〔３２〕のいずれか一項に記載の泡吐出容器。
〔３４〕前記吐出口形成壁の上端に設けられたメッシュを備える〔１〕から〔３３〕のいずれか一項に記載の泡吐出容器。
〔３５〕前記ノズル形成壁の内部空間と連通していて前記ノズル形成壁の内部空間に泡を供給する筒部を備え、前記筒部と前記ノズル形成壁とが互いに同軸に配置されている〔１〕から〔３４〕のいずれか一項に記載の泡吐出容器。
〔３６〕前記孔又は前記切欠形状部の下端の高さ位置が、前記ノズル形成壁の上端の高さ位置よりも低い〔１〕から〔３５〕のいずれか一項に記載の泡吐出容器。
〔３７〕前記ノズル形成壁の内部空間と連通していて前記ノズル形成壁の内部空間に泡を供給する筒部と、前記筒部の上端部に設けられていて上面が平坦な台状部と、を備え、前記ノズル形成壁は、前記台状部の上面から上方に突出しており、前記孔又は前記切欠形状部の下端の高さ位置が、前記台状部の上面の高さ位置と等しい〔１〕から〔３６〕のいずれか一項に記載の泡吐出容器。
〔３８〕前記押圧部を備えていて、押圧操作に応じて泡を吐出する泡吐出ヘッドと、前記泡となる液剤を貯留する容器本体と、を備え、前記泡吐出ヘッドに対する押圧操作は、前記押圧部を前記被吐出体に当てた状態で、容器本体を前記被吐出体に向けた方向に押圧することにより行われる〔１〕から〔３７〕のいずれか一項に記載の泡吐出容器。
〔３９〕当該泡吐出容器は、液剤を貯留する容器本体を備え、前記吐出口が上向きの正立状態及び前記吐出口が下向きの倒立状態の双方において使用可能な正倒立泡吐出容器である、〔１〕から〔３８〕のいずれか一項に記載の泡吐出容器。
【０１７１】
〔４０〕液剤を貯留する容器本体に装着して用いられ、押圧操作に応じて泡を吐出する泡吐出キャップであって、前記押圧操作の押圧方向に対する反対方向に開口していて、前記泡を吐出する吐出口と、前記泡を受け取る被吐出体と前記吐出口との距離を一定に維持する押圧部と、を備える泡吐出キャップ。
〔４１〕〔１〕から〔３９〕のいずれか一項に記載の泡吐出容器に用いられる〔４０〕に記載の泡吐出キャップ。
〔４２〕液剤を貯留する容器本体に装着されるキャップに装着して用いられ、押圧操作に応じて泡を吐出する泡吐出ヘッドであって、前記押圧操作の押圧方向に対する反対方向に開口していて、前記泡を吐出する吐出口と、前記泡を受け取る被吐出体と前記吐出口との距離を一定に維持する押圧部と、を備える泡吐出ヘッド。
〔４３〕〔４０〕に記載の泡吐出キャップに装着して用いられる、〔４２〕に記載の泡吐出ヘッド。
〔４４〕〔３９〕に記載の泡吐出容器を用いて泡を被吐出体に付着させる方法であって、前記押圧部を前記被吐出体に当てた状態で、前記押圧部又は前記容器本体を押圧操作して、前記押圧部と前記容器本体との相対的距離を近付けることで、前記吐出口から吐出した泡を被吐出体に付着させる、泡吐出方法。
【０１７２】
〔４５〕押圧操作に応じて液剤を吐出する液剤吐出容器であって、液剤を貯留する容器本体と、前記容器本体に装着され、前記押圧操作に応じて前記液剤を吐出する液剤吐出キャップと、を備え、前記液剤吐出キャップは、前記押圧操作による押圧方向に対する反対方向に開口していて、前記液剤を吐出する吐出口と、前記液剤を受け取る被吐出体と前記吐出口との距離を一定に維持する押圧部と、前記容器本体が前記押圧部に対して相対的に前記押圧方向に移動することにより前記吐出口から前記液剤を吐出させるポンプ部と、を備え、前記容器本体は、前記押圧操作の際に使用者に把持及び押圧される操作部である液剤吐出容器。
〔４６〕当該液剤吐出容器は、前記吐出口を下向きにして前記押圧部が載置面に接触する状態で自立可能である〔４５〕に記載の液剤吐出容器。
〔４７〕前記押圧部が載置面に接触する状態で当該液剤吐出容器が自立したときの前記液剤吐出キャップの少なくとも下部は、裾広がりの形状に形成されている〔４５〕又は〔４６〕に記載の液剤吐出容器。
〔４８〕前記押圧部が載置面に接触する状態で当該液剤吐出容器が自立したときの前記容器本体の頂部は、当該容器本体の外方に向けて凸の曲面形状に形成されている〔４５〕から〔４７〕のいずれか一項に記載の液剤吐出容器。
〔４９〕当該液剤吐出容器において前記吐出口とは反対側の部分は、当該部分が接地する姿勢では当該液剤吐出容器が自立不能な非載置部となっている〔４５〕から〔４８〕のいずれか一項に記載の液剤吐出容器。
〔５０〕前記液剤吐出キャップは、前記容器本体内の前記液剤を前記ポンプ部に供給するディップチューブを備え、前記吐出口が下向きの状態で前記ディップチューブの先端の吸入口が前記容器本体内の前記液剤の液面よりも下に位置する〔４５〕から〔４９〕のいずれか一項に記載の液剤吐出容器。
〔５１〕前記容器本体は、口頸部を有し、前記液剤吐出キャップは、前記口頸部を囲む状態で当該口頸部に装着されている筒状の装着部と、前記押圧部から前記容器本体側に向けて延びていて前記装着部又は前記容器本体の周囲を覆っている筒状部と、を有し、前記押圧部は、前記吐出口の周囲を包囲しているとともに前記吐出口よりも前記反対方向に向けて起立している環状の起立壁であり、前記押圧部の内部空間が、前記筒状部の内部空間と、前記筒状部の内周面と前記装着部又は前記容器本体の外周面との間隙と、を介して、当該液剤吐出容器の外部空間と連通している〔４５〕から〔５０〕のいずれか一項に記載の液剤吐出容器。
〔５２〕前記容器本体は、口頸部を有し、前記液剤吐出キャップは、前記口頸部を囲む状態で当該口頸部に装着されている筒状の装着部と、前記押圧部から前記容器本体側に向けて延びていて前記装着部又は前記容器本体と同軸に配置されている筒状部と、を有し、前記押圧操作の際に、前記筒状部と前記装着部又は前記容器本体とが互いにガイドする〔４５〕から〔５１〕のいずれか一項に記載の液剤吐出容器。
〔５３〕前記容器本体内の前記液剤の粘度が、２０℃において１０００ｍＰａ・ｓ以上１０００００ｍＰａ・ｓ以下である〔４５〕から〔５２〕のいずれか一項に記載の液剤吐出容器。
〔５４〕前記吐出口より吐出された前記液剤は、所定の目的形状に形成されている〔４５〕から〔５３〕のいずれか一項に記載の液剤吐出容器。
〔５５〕前記吐出口は、非円形形状であるか、又は、複数の開口を含んで構成されている〔４５〕から〔５４〕のいずれか一項に記載の液剤吐出容器。
【０１７３】
〔５６〕前記吐出口は、前記反対方向に向けて起立するノズル形成壁の先端に形成され、前記押圧部は、前記反対方向に向けて前記吐出口よりも延出している〔４５〕から〔５５〕のいずれか一項に記載の液剤吐出容器。
〔５７〕前記押圧部は、前記吐出口から外方向に離間した位置において起立している起立部を有しており、前記押圧部は、前記起立部と、当該押圧部の内側の領域と外側の領域とを相互に連通させる連通部と、を有する〔４５〕から〔５６〕のいずれか一項に記載の液剤吐出容器。
〔５８〕前記液剤を吐出する一次吐出口と、前記一次吐出口から吐出された前記液剤が内部空間に広がる前室と、前記前室を間に挟んで前記一次吐出口と対向して配置されており、前記吐出口が形成されている対向部と、を備える〔４５〕から〔５７〕のいずれか一項に記載の液剤吐出容器。
〔５９〕前記液剤を吐出する一次吐出口を有する一次板状部と、前記一次吐出口から吐出された前記液剤が内部空間に広がる前室と、前記前室を間に挟んで前記一次吐出口と対向して配置されており、前記吐出口が形成されている対向部と、を備え、前記対向部は、前記前室を間に挟んで前記一次板状部と対向して配置されているとともに前記吐出口が形成された板状部を含んで構成され、前記前室は、前記一次板状部と前記板状部との間において起立している包囲壁によって囲まれた領域であり、当該液剤吐出容器を前記押圧方向に視たときに、前記押圧部の内側に前記包囲壁が収まっており、且つ、前記包囲壁の内側に前記吐出口及び前記一次吐出口が収まっている〔４５〕から〔５８〕のいずれか一項に記載の液剤吐出容器。
〔６０〕当該液剤吐出容器を前記押圧方向に視たときに、前記対向部が前記一次吐出口の少なくとも一部分を覆っている〔４５〕から〔５９〕のいずれか一項に記載の液剤吐出容器。
〔６１〕前記対向部は、前記一次吐出口側に向けて突出している突起部を含んで構成され、当該液剤吐出容器を前記押圧方向に視たときに、前記突起部が前記一次吐出口の少なくとも一部分と重なっている液剤に〔４５〕から〔６０〕のいずれか一項に記載の液剤吐出容器。
〔６２〕前記吐出口は、第１吐出領域と第２吐出領域とを含んで構成され、当該液剤吐出容器は、前記一次吐出口から前記前室に吐出される前記液剤が前記第１吐出領域へ流動することを阻害する阻害部と、前記一次吐出口から前記前室に吐出される前記液剤を前記第２吐出領域へ誘導する誘導部と、の一方又は両方を備えている〔４５〕から〔６１〕のいずれか一項に記載の液剤吐出容器。
〔６３〕前記吐出口より吐出された前記液剤は、所定の目的形状に形成されている〔４５〕から〔６２〕のいずれか一項に記載の液剤吐出容器。
〔６４〕前記吐出口は、非円形形状であるか、又は、複数の開口を含んで構成されている〔４５〕から〔６３〕のいずれか一項に記載の液剤吐出容器。
【０１７４】
〔６５〕前記吐出口は、当該吐出口と前記被吐出体との距離が所定距離となっている状態で前記液剤を吐出した場合に前記液剤が前記目的形状に整形されるような形状に形成されており、前記押圧部は、前記被吐出体と前記吐出口との距離を前記所定距離に維持する〔４５〕から〔６４〕のいずれか一項に記載の液剤吐出容器。
〔６６〕前記吐出口より吐出された前記液剤は、所定の目的形状に形成された液剤造形物である〔４５〕から〔６５〕のいずれか一項に記載の液剤吐出容器。
〔６７〕押圧操作の開始段階から終了段階に亘り、前記被吐出体と前記吐出口とが離間した状態に維持される〔４５〕から〔６６〕のいずれか一項に記載の液剤吐出容器。
〔６８〕前記押圧部の上端面は、平面視円環状に形成されており、平坦且つ水平に配置されている〔４５〕から〔６７〕のいずれか一項に記載の液剤吐出容器。
〔６９〕平面視において、前記包囲壁の内周面が、前記吐出口（及び前記ノズル形成壁の内周面）を最短距離で取り囲んでいる〔４５〕から〔６８〕のいずれか一項に記載の液剤吐出容器。
〔７０〕平面視において、前記包囲壁の内周面（前記包囲壁の内周面の全体又は一部）は、前記ノズル形成壁の外周面よりも内側に形成されている〔４５〕から〔６９〕のいずれか一項に記載の液剤吐出容器。
〔７１〕前記押圧部の高さ寸法は、前記ノズル形成壁の高さ寸法の、２倍以上であり、好ましくは３倍以上であり、また、１０倍以下であり、好ましくは８倍以下である〔４５〕から〔７０〕のいずれか一項に記載の液剤吐出容器。
〔７２〕前記吐出口と前記押圧部との高低差は、５ｍｍ以上２０ｍｍ以下であり、好ましくは７ｍｍ以上１８ｍｍ以下である〔４５〕から〔７１〕のいずれか一項に記載の液剤吐出容器。
〔７３〕前記ノズル形成壁の高さ寸法は、１ｍｍ以上であり、好ましくは２ｍｍ以上であり、また、１０ｍｍ以下であり、好ましくは８ｍｍ以下である〔４５〕から〔７２〕のいずれか一項に記載の液剤吐出容器。
〔７４〕前記容器本体は、外殻と、該外殻の内側に収容されている内袋と、を備えて構成されているデラミネーション容器である〔４５〕から〔７３〕のいずれか一項に記載の液剤吐出容器。
【符号の説明】
【０１７５】
１０  容器本体
１１  胴部
１２  肩部
１３  口頸部
１４  底部
１５  頂部
１６  外殻
１７  内袋
１８  導入部
２０  フォーマー機構
２１  気液混合部
３０  前室
４０  被吐出体
５０  メッシュ保持リング
５１  メッシュ
６０  リング部材
７０  第１ヘッド部材
７０１  第２外筒部
７０１ａ  上部
７０１ｂ  下部
７０１ｃ  上端部
７０２  連結部
７０３  間隙
７０４  係合部
７０５  開口
７１  筒部
７１ａ  上部
７２  保持部
７３  一次吐出口
７４  一次板状部
７５  環状壁
７５ａ  開口
７６  外筒部
７７  台状部
８０  第２ヘッド部材
８１  環状壁
８２  対向部
８２ａ  板状部
８３  吐出口
８３ａ  第１部分
８３ｂ  第２部分
８３１  開口
８４  ノズル形成壁
８４ａ  第１壁部
８４ｂ  第２壁部
８５  押圧部
８５ａ  開口
８５１  柱状部
８５２  環状部
８５３  連結部
８５４  開口
８５６  係合部
８５７  嵌入壁
８６  孔
８７  包囲壁
８８  突起部
８９  切欠形状部
９０  キャップ
１００  泡吐出容器
１０１  液剤
１１０  キャップ部材
１１１  装着部
１１２  環状閉塞部
１１３  起立筒部
１２０  ポンプ部
１２９  チューブ保持部
１３０  ディップチューブ
１３１  先端
１３２  基端
１４０  ピストンガイド
１５０  泡造形物（泡）
１５０ａ  第１部分
１５０ｂ  第２部分
１５１  泡体
１７０  ヘッド部材
１７１  筒部
１７１ａ  一次吐出口
１８２  板状部
１８３  吐出口
１８４  吐出口形成壁
１８５  押圧部
１８５ａ  開口
１７７  メッシュ
１８０  阻害誘導壁（阻害部、誘導部）
１８１  傾斜壁面
１９０  ボール弁
２００  泡吐出キャップ
３００  泡吐出ヘッド
４１０  嵌合部
４２１  環状部
４２２  筒状部
４３０  第３ヘッド部材
４３１  筒状部
４３１ａ  上端部
４３２  内フランジ部
４３２ａ  開口
４４０  第１ヘッド部材
４４１  板状部
４４２  内筒部
４４３  外筒部
５００  液剤吐出容器
６００  液剤吐出キャップ
７００  液剤吐出ヘッド
【図１】
2018193128.tif 000003
【図２】
2018193128.tif 000004
【図３】
2018193128.tif 000005
【図４】
2018193128.tif 000006
【図５】
2018193128.tif 000007
【図６】
2018193128.tif 000008
【図７】
2018193128.tif 000009
【図８】
2018193128.tif 000010
【図９】
2018193128.tif 000011
【図１０】
2018193128.tif 000012
【図１１】
2018193128.tif 000013
【図１２】
2018193128.tif 000014
【図１３】
2018193128.tif 000015
【図１４】
2018193128.tif 000016
【図１５】
2018193128.tif 000017
【図１６】
2018193128.tif 000018
【図１７】
2018193128.tif 000019
【図１８】
2018193128.tif 000020
【図１９】
2018193128.tif 000021
【図２０】
2018193128.tif 000022
【図２１】
2018193128.tif 000023
【図２２】
2018193128.tif 000024
【図２３】
2018193128.tif 000025
【図２４】
2018193128.tif 000026
【図２５】
2018193128.tif 000027
【図２６】
2018193128.tif 000028
【図２７】
2018193128.tif 000029
【図２８】
2018193128.tif 000030
【図２９】
2018193128.tif 000031
【図３０】
2018193128.tif 000032
【図３１】
2018193128.tif 000033
【図３２】
2018193128.tif 000034